(57)【要約】  ２つの順流高過酷度ＦＣＣユニットを有するシステムを操作して、炭化水素供給物から生成物を生成するための方法は、炭化水素供給物を供給物分離器に導入することと、それを低沸点留分と高沸点留分とに分離することとを含む。高沸点留分は、第１のＦＣＣユニットへと通過し、第１の触媒の存在下、５００℃〜７００℃で分解されて、第１の分解反応生成物および使用済みの第１の触媒が生成される。低沸点留分は、第２のＦＣＣユニットへと通過し、第２の触媒の存在下、５００℃〜７００℃で分解されて、第２の分解反応生成物および使用済みの第２の触媒が生成される。使用済みの第１の触媒または使用済みの第２の触媒の少なくとも一部分は、第１のＦＣＣユニット、第２のＦＣＣユニット、またはその両方へと通過して戻される。
2020521844.tif 000002
【特許請求の範囲】
【請求項１】
第１の流動接触分解（ＦＣＣ）ユニットおよび第２のＦＣＣユニットを有するシステムを操作して、炭化水素供給流から生成物を生成するための方法であって、
前記炭化水素供給流を供給物分離器に導入することと、
前記炭化水素供給流を、供給物分離器内で低沸点留分と高沸点留分とに分離することと、
前記高沸点留分を前記第１のＦＣＣユニットへと通過させることと、
前記低沸点留分を第２のＦＣＣユニットへと通過させることであって、前記第１のＦＣＣユニットおよび前記第２のＦＣＣユニットが、順流ＦＣＣユニットである、通過させることと、
第１の触媒の存在下、５００℃〜７００℃の第１の分解温度で、前記第１のＦＣＣユニット内で前記高沸点留分の少なくとも一部分を分解して、第１の分解反応生成物および使用済みの第１の触媒を生成することと、
第２の触媒の存在下、５００℃〜７００℃の第２の分解温度で、前記第２のＦＣＣユニット内で前記低沸点留分の少なくとも一部分を分解して、第２の分解反応生成物および使用済みの第２の触媒を生成することと、
前記使用済みの第１の触媒の少なくとも一部分または前記使用済みの第２の触媒の一部分を、前記第１のＦＣＣユニットまたは前記第２のＦＣＣユニットへと通過させることと、
を含む、方法。
【請求項２】
前記炭化水素供給流が、原油を含む、請求項１に記載の方法。
【請求項３】
前記第１のＦＣＣユニットおよび前記第２のＦＣＣユニットが、高過酷度流動接触分解（ＨＳＦＣＣ）ユニットである、請求項１に記載の方法。
【請求項４】
前記第１のＦＣＣユニット内および前記第２のＦＣＣユニット内の触媒対炭化水素の重量比が、５超であり、前記第１のＦＣＣユニット内および前記第２のＦＣＣユニット内の滞留時間が、３秒未満である、請求項３に記載の方法。
【請求項５】
再生ゾーン内で、前記使用済みの第１の触媒の非再循環部分および前記使用済みの第２の触媒の非再循環部分を再生して、再生触媒を生成することをさらに含む、請求項１に記載の方法。
【請求項６】
前記使用済みの第１の触媒の前記少なくとも一部分を、前記第１のＦＣＣユニット、前記第２のＦＣＣユニット、または前記第１のＦＣＣユニットおよび前記第２のＦＣＣユニットへと通過させることを含む、請求項１に記載の方法。
【請求項７】
前記使用済みの第１の触媒の前記少なくとも一部分を、前記第１のＦＣＣユニットへと通過させることを含み、前記第１の触媒が、前記使用済みの第１の触媒の前記少なくとも一部分と、前記再生触媒とを含み、前記第２の触媒が、前記再生触媒を含む、請求項１に記載の方法。
【請求項８】
前記第１の触媒が、１：９９〜９９：１、１０：９０〜９０：１０、または２５：７５〜７５：２５の、前記使用済みの第１の触媒の前記少なくとも一部分対前記再生触媒の重量比を含む、請求項７に記載の方法。
【請求項９】
前記使用済みの第１の触媒の前記少なくとも一部分対前記第１の触媒中の前記再生触媒の重量比を調整することによって、前記第１のＦＣＣユニット内の前記第１の触媒の触媒活性または前記第１のＦＣＣユニット内の第１の分解温度を制御することをさらに含む、請求項７に記載の方法。
【請求項１０】
前記使用済みの第１の触媒の前記少なくとも一部分を前記第２のＦＣＣユニットへと通過させることを含む、請求項１に記載の方法。
【請求項１１】
前記第２の触媒が、前記使用済みの第１の触媒の前記少なくとも一部分と、前記再生触媒とを含む、請求項１０に記載の方法。
【請求項１２】
前記第２の触媒が、１：９９〜９９：１、１０：９０〜９０：１０、または２５：７５〜７５：２５の、前記使用済みの第１の触媒の前記少なくとも一部分対前記再生触媒の重量比を含む、請求項１１に記載の方法。
【請求項１３】
前記使用済みの第１の触媒の前記少なくとも一部分対前記第２の触媒中の前記再生触媒の重量比を調整することによって、前記第２のＦＣＣユニット内の前記第２の触媒の触媒活性または前記第２のＦＣＣユニット内の第２の分解温度を制御することをさらに含む、請求項１１に記載の方法。
【請求項１４】
前記第２のＦＣＣユニットの第２の分解反応ゾーンの上流に位置付けられた第２の混合ゾーン内で、前記使用済みの第１の触媒の前記少なくとも一部分と、前記再生触媒と、前記低沸点留分とを混合することをさらに含む、請求項１１に記載の方法。
【請求項１５】
前記使用済みの第２の触媒の少なくとも一部分を、前記第１のＦＣＣユニット、前記第２のＦＣＣユニット、または前記第１のＦＣＣユニットおよび前記第２のＦＣＣユニットへと通過させることを含む、請求項１に記載の方法。
【請求項１６】
前記使用済みの第２の触媒の前記少なくとも一部分を、前記第２のＦＣＣユニットへと通過させることを含み、前記第２の触媒が、前記使用済みの第２の触媒の前記少なくとも一部分と、前記再生触媒とを含む、請求項１５に記載の方法。
【請求項１７】
前記第２の触媒が、１：９９〜９９：１、１０：９０〜９０：１０、または２５：７５〜７５：２５の、前記使用済みの第２の触媒の前記少なくとも一部分対前記再生触媒の重量比を含む、請求項１６に記載の方法。
【請求項１８】
前記使用済みの第２の触媒の前記少なくとも一部分対前記第２の触媒中の前記再生触媒の重量比を調整することによって、前記第２のＦＣＣユニット内の前記第２の触媒の触媒活性または前記第２のＦＣＣユニット内の前記第２の分解温度を制御することをさらに含む、請求項１６に記載の方法。
【請求項１９】
前記第２のＦＣＣユニットの第２の分解反応ゾーンの上流に位置付けられた第２の混合ゾーン内で、前記使用済みの第２の触媒の前記少なくとも一部分と、前記再生触媒と、前記低沸点留分とを混合することをさらに含む、請求項１６に記載の方法。
【請求項２０】
前記使用済みの第２の触媒の前記少なくとも一部分を、前記第１のＦＣＣユニットへと通過させることを含み、前記第１の触媒が、前記使用済みの第２の触媒の前記少なくとも一部分と、前記再生触媒とを含む、請求項１に記載の方法。
【請求項２１】
前記第１の触媒が、１：９９〜９９：１、１０：９０〜９０：１０、または２５：７５〜７５：２５の、前記使用済みの第２の触媒の前記少なくとも一部分対前記再生触媒の重量比を含む、請求項２０に記載の方法。
【請求項２２】
前記使用済みの第２の触媒の前記少なくとも一部分対前記第１の触媒中の前記再生触媒の重量比を調整することによって、前記第１のＦＣＣユニット内の前記第１の触媒の触媒活性または前記第１のＦＣＣユニット内の前記第１の分解温度を制御することをさらに含む、請求項２１に記載の方法。
【請求項２３】
前記第１の分解反応生成物または前記第２の分解反応生成物が、エチレン、プロペン、ブテン、またはペンテンのうちの１つ以上を含む、請求項１に記載の方法。
【請求項２４】
オレフィンを生成するための方法であって、
炭化水素材料を、低沸点留分と高沸点留分とに分離することと、
第１の触媒の存在下、５００℃〜７００℃の第１の分解温度で、前記高沸点留分の少なくとも一部分を分解して、第１の分解反応生成物および使用済みの第１の触媒を生成することと、
第２の触媒の存在下、５００℃〜７００℃の第２の分解温度で、前記低沸点留分の少なくとも一部分を分解して、第２の分解反応生成物および使用済みの第２の触媒を生成することと、
前記第１の分解反応生成物の少なくとも一部分を、前記使用済みの第１の触媒から分離することと、
前記第２の分解反応生成物の少なくとも一部分を、前記使用済みの第２の触媒から分離することと、
前記使用済みの第１の触媒の第１の部分と再生触媒とを組み合わせて、前記第１の触媒または前記第２の触媒を生成することと、
前記第１の分解反応生成物および前記第２の分解反応生成物を回収することと、
を含む、方法。
【請求項２５】
原油からオレフィンを生成するためのシステムであって、
順流分解反応ゾーンである第１の分解反応ゾーンを含む、第１のＦＣＣユニットと、
前記第１のＦＣＣユニットの下流にある、第１の分離ゾーンと、
前記第１のＦＣＣユニットに平行しており、かつ順流分解反応ゾーンである第２の分解反応ゾーンを含む、第２のＦＣＣユニットと、
前記第２のＦＣＣユニットの下流にある、第２の分離ゾーンと、
前記第１の分離ゾーンおよび前記第２の分離ゾーンの下流にあり、かつ前記第１の分離ゾーンおよび前記第２の分離ゾーンに流体的に連結されている、再生ゾーンと、
前記第１の分離ゾーンまたは前記第２の分離ゾーンを、前記第１のＦＣＣユニット、前記第２のＦＣＣユニット、または前記第１のＦＣＣユニットおよび前記第２のＦＣＣユニットに流体的に連結している、触媒再循環と、
を備える、システム。
【請求項２６】
流入口、高沸点留分の流出口流、および低沸点留分の流出口流を有する供給物分離器をさらに備え、前記高沸点留分の流出口流が、前記第１のＦＣＣユニットに流体的に連結されており、前記低沸点留分の流出口流が、前記第２のＦＣＣユニットに流体的に連結されている、請求項２５に記載のシステム。
【請求項２７】
前記触媒再循環が、前記第１の分離ゾーンを、前記第１のＦＣＣユニット、前記第２のＦＣＣユニット、または前記第１のＦＣＣユニットおよび前記第２のＦＣＣユニットの両方に流体的に連結する、請求項２５に記載のシステム。
【請求項２８】
前記触媒再循環が、前記第２の分離ゾーンを、前記第１のＦＣＣユニット、前記第２のＦＣＣユニット、または前記第１のＦＣＣユニットおよび前記第２のＦＣＣユニットの両方に流体的に連結する、請求項２５に記載のシステム。
【発明の詳細な説明】
【関連出願の相互参照】
【０００１】
本出願は、２０１８年４月４日出願の米国実用出願第１５／９４５，３６２号および２０１７年５月３１日出願の米国仮特許出願第６２／５１２，８４０号の利益を主張し、その全体が、参照により本開示に組み込まれる。
【技術分野】
【０００２】
本開示の実施形態は一般に、流動接触分解プロセスに関し、より具体的には、高過酷度流動接触分解（ＨＳＦＣＣ）システムに関する。
【背景技術】
【０００３】
エチレン、プロペン、ブテン、ブタジエン、ならびに芳香族化合物（ベンゼン、トルエン、およびキシレンなど）は、大部分の石油化学産業にとって基本的な中間体である。それらは通常、ナフサ、灯油、またはさらに軽油などの石油ガスおよび留出物の熱分解（または蒸気熱分解）を通して得られる。これらの化合物はまた、軽油または残留物などの古典的な重質供給原料が変換される精製所流動接触分解（ＦＣＣ）プロセスを通しても生成される。典型的なＦＣＣ供給原料は、水素化分解された残油から、真空軽油および大気残留物などの重質供給物留分にまでおよぶが、これらの供給原料は、限られている。プロペン生成の第２の最も重要な供給源は現在、ＦＣＣユニットからの精製所プロペンである。ますます増加する需要に伴って、ＦＣＣユニットの所有者は、プロペン市場で生じている経済的機会を利用することによって自らの収益を増加させるために、ますます石油化学市場に注目している。
【０００４】
軽質オレフィンに対する世界的な需要の増加は、多くの集中合理化精製所にとって主要な挑戦である。具体的には、エチレン、プロペン、およびブテンなどのいくつかの価値のある軽質オレフィンの生成が注目を集めているが、これは、純粋なオレフィン流がポリマー合成の構成要素と見なされるためである。軽質オレフィンの生成は、供給物の種類、動作条件、および触媒の種類などの、いくつかのプロセス変数に依存する。より高い収率のプロペンおよび軽質オレフィンを生成するために利用可能な選択肢にもかかわらず、この分野では依然として熱心な研究活動が行われている。これらの選択肢には、ＨＳＦＣＣシステムの使用、プロセス用のより選択的な触媒の開発、ならびにより有利な反応条件および収率を優先するプロセスの構成の強化が含まれる。ＨＳＦＣＣプロセスは、従来の流動接触分解ユニットよりも最大４倍大きいプロペン収率、および一連の石油蒸気のより高い変換レベルをもたらすことができる。
【発明の概要】
【０００５】
本開示の実施形態は、原油などの炭化水素材料から１つ以上の石油化学生成物を生成するためのＨＳＦＣＣシステムおよび方法を対象とする。具体的には、実施形態は、使用済み触媒を分解反応ゾーンへと再循環することを含むＨＳＦＣＣシステムおよび方法を対象とする。
【０００６】
一般的な触媒再生器を有する典型的なＨＳＦＣＣシステムは一般に、ＨＳＦＣＣシステムのＦＣＣユニットの両方が、同じ触媒温度を有する同じ再生触媒で動作することを必要とする。同じ再生触媒を各ＦＣＣ反応器に供給することにより、ＦＣＣ反応器の各々において同じ反応温度をもたらすことができる。しかしながら、例えば、原油などの炭化水素供給原料は、広範囲の組成および沸点を有し得る。したがって、ＦＣＣ反応器の各々において同じ反応条件を有すると、ＨＳＦＣＣシステムのＦＣＣユニットの一方または両方からの石油化学生成物の収率に悪影響を与える可能性がある。
【０００７】
実施形態によれば、本開示に記載のＨＳＦＣＣシステムおよび方法は、使用済み触媒を分解反応ゾーンに再循環して戻すことを含み得る。使用済み触媒を再循環すること、および使用済み触媒対分解反応ゾーンに導入される再生触媒の比率を制御することにより、分解反応ゾーンの各々における触媒の平均触媒活性を別個に制御して、分解反応ゾーンの各々において処理される炭化水素供給物の留分に適合させることを可能にすることができる。各分解反応ゾーン内の触媒活性を制御することにより、軽質オレフィンの収率およびＦＣＣユニット内の全体的な変換率を改善することができる。さらに、使用済み触媒と再生触媒とを組み合わせることにより、分解反応ゾーンの温度を低下させることができ、これは、ＨＳＦＣＣシステムのオレフィン選択性を改善することができる。
【０００８】
いくつかの実施形態によれば、第１の流動接触分解（ＦＣＣ）ユニットおよび第２のＦＣＣユニットを有するシステムを操作して、炭化水素供給流から生成物を生成するための方法は、炭化水素供給流を供給物分離器に導入することと、炭化水素供給流を、供給物分離器内で低沸点留分と高沸点留分とに分離することと、高沸点留分を第１のＦＣＣユニットへと通過させることと、低沸点留分を第２のＦＣＣユニットへと通過させることとを含み、第１のＦＣＣユニットおよび第２のＦＣＣユニットは、順流ＦＣＣユニットである。本方法は、第１の触媒の存在下、５００℃〜７００℃の第１の分解温度で、第１のＦＣＣユニット内で高沸点留分の少なくとも一部分を分解して、第１の分解反応生成物および使用済みの第１の触媒を生成することと、第２の触媒の存在下、５００℃〜７００℃の第２の分解温度で、第２のＦＣＣユニット内で低沸点留分の少なくとも一部分を分解して、第２の分解反応生成物および使用済みの第２の触媒を生成することと、使用済みの第１の触媒の少なくとも一部分または使用済みの第２の触媒の一部分を、第１のＦＣＣユニットまたは第２のＦＣＣユニットへと通過させることとをさらに含み得る。
【０００９】
他の実施形態によれば、オレフィンを生成するための方法は、炭化水素材料を、低沸点留分と高沸点留分とに分離することと、第１の触媒の存在下、５００℃〜７００℃の第１の分解温度で、高沸点留分の少なくとも一部分を分解して、第１の分解反応生成物および使用済みの第１の触媒を生成することと、第２の触媒の存在下、５００℃〜７００℃の第２の分解温度で、低沸点留分の少なくとも一部分を分解して、第２の分解反応生成物および使用済みの第２の触媒を生成することとを含み得る。本方法は、第１の分解反応生成物の少なくとも一部分を、使用済みの第１の触媒から分離することと、第２の分解反応生成物の少なくとも一部分を、使用済みの第２の触媒から分離することと、使用済みの第１の触媒の第１の部分と再生触媒とを組み合わせて、第１の触媒または第２の触媒を生成することと、第１の分解反応生成物および第２の分解反応生成物を回収することとをさらに含み得る。
【００１０】
さらに他の実施形態によれば、原油からオレフィンを生成するためのシステムは、順流分解反応ゾーンである第１の分解反応ゾーンを含む、第１のＦＣＣユニットと、第１のＦＣＣユニットの下流にある、第１の分離ゾーンと、第１のＦＣＣユニットに平行しており、かつ順流分解反応ゾーンである第２の分解反応ゾーンを含む、第２のＦＣＣユニットと、第２のＦＣＣユニットの下流にある、第２の分離ゾーンと、第１の分離ゾーンおよび第２の分離ゾーンの下流にあり、かつ第１の分離ゾーンおよび第２の分離ゾーンに流体的に連結されている、再生ゾーンとを備え得る。本システムは、第１の分離ゾーンまたは第２の分離ゾーンを、第１のＦＣＣユニット、第２のＦＣＣユニット、または第１のＦＣＣユニットおよび第２のＦＣＣユニットに流体的に連結している、触媒再循環をさらに備え得る。
【００１１】
記載の実施形態の追加の特徴および利点は、以下の発明を実施するための形態に記載され、一部はその説明から当業者に容易に明白であるか、または以下の発明を実施するための形態、特許請求の範囲、および添付の図面を含む記載の実施形態を実施することによって認識される。
【図面の簡単な説明】
【００１２】
本開示の特定の実施形態についての以下の発明を実施するための形態は、同様の構造が同様の参照番号で示されている以下の図面と併せて閲読すると、最もよく理解することができる。
【図１】本開示に記載の１つ以上の実施形態による、ＨＳＦＣＣシステムの実施形態の一般化された概略図を示す図である。
【図２】本開示に記載の１つ以上の実施形態による、ＨＳＦＣＣシステムの別の実施形態の概略図を描写する。
【図３】本開示に記載の１つ以上の実施形態による、ＨＳＦＣＣシステムの別の実施形態の概略図を描写する。
【図４】本開示に記載の１つ以上の実施形態による、ＨＳＦＣＣシステムの別の実施形態の概略図を描写する。
【図５】本開示に記載の１つ以上の実施形態による、ＨＳＦＣＣシステムの別の実施形態の概略図を描写する。
【００１３】
図１〜５の簡略化した概略図および説明を記載するために、用いることができ、かつ特定の化学処理操作の当業者に周知である、多数のバルブ、温度センサ、および電子コントローラなどは含まれていない。さらに、例えば、空気供給、触媒ホッパー、および煙道ガス取り扱いシステムなどの、典型的な化学処理操作にしばしば含まれる付随する構成要素は、描写されていない。流出流、使用済み触媒排出サブシステム、および触媒交換サブシステムなどの、水素化分解ユニット内にある付随する構成要素もまた、示されていない。これらの構成要素は、開示される本実施形態の趣旨および範囲内にあることを理解されたい。しかしながら、本開示に記載のものなどの操作構成要素は、本開示に記載の実施形態に追加されてもよい。
【００１４】
図面中の矢印は、プロセス流を指すことにさらに留意されたい。しかしながら、矢印は、同等に、２つ以上のシステム構成要素間でプロセス流を伝達するように機能し得る伝達線を指し得る。加えて、システム構成要素に接続する矢印は、各所定のシステム構成要素の流入口または流出口を定義する。矢印の方向は、矢印によって示される物理的伝達線内に含有される流れの材料の主な移動方向に概ね対応する。さらに、２つ以上のシステム構成要素を接続しない矢印は、描写されるシステムを出る生成物流、または描写されるシステムに入るシステム流入口流を示す。生成物流は、付随する化学処理システムでさらに処理されても、最終生成物として市販されてもよい。システム流入口流は、付随する化学処理システムから伝達される流れであっても、未処理の供給原料流であってもよい。いくつかの矢印は、システムに再循環されて戻されるシステム構成要素の流出物流である再循環流を表し得る。しかしながら、いくつかの実施形態では、いかなる表される再循環流も、同じ材料のシステム流入口流によって交換することができること、および再循環流の一部分がシステム生成物としてシステムから出てもよいことを理解されたい。
【００１５】
加えて、図面中の矢印は、あるシステム構成要素から別のシステム構成要素へと流れを搬送するプロセスステップを概略的に描写し得る。例えば、あるシステム構成要素から別のシステム構成要素を指し示す矢印は、あるシステム構成要素から「出る」または「除去される」プロセス流の含有物を含み得るシステム構成要素流出物を別のシステム構成要素へと「通過させる」こと、およびその生成物流の含有物を別のシステム構成要素に「導入する」ことを表し得る。
【００１６】
図１〜５の概略的な流れ図において、２つ以上の線が交差するとき、２つ以上のプロセス流が「混合される」か、または「組み合わされる」ことを理解されたい。混合または組み合わせはまた、両方の流れを、同様の反応器、分離デバイス、または他のシステム構成要素へと直接導入することによって混合することを含み得る。例えば、２つの流れが、分離ユニットまたは反応器に入る前に直接組み合わされるものとして描写される場合、いくつかの実施形態では、流れは、同等に、分離ユニットまたは反応器に導入され、反応器内で混合され得ることを理解されたい。
【００１７】
ここで、様々な実施形態をより詳細に参照し、それらのいくつかの実施形態が添付の図面に示される。可能な限り、図面全体を通して同じ参照番号を使用して、同じまたは類似の部分を指す。
【発明を実施するための形態】
【００１８】
本開示の実施形態は、高過酷度条件で動作する２つの順流流動接触分解（ＦＣＣ）ユニットを含む高過酷度流動接触分解（ＨＳＦＣＣ）システムを使用して、１つ以上の炭化水素供給流を１つ以上の石油化学生成物に変換するためのシステムおよびプロセスを対象とする。例えば、第１のＦＣＣユニットおよび第２のＦＣＣユニットを有するシステムを操作するための方法は、炭化水素供給流を供給物分離器に導入することと、炭化水素供給流を、供給物分離器内で低沸点留分と高沸点留分とに分離することとを含み得る。本方法は、高沸点留分を第１のＦＣＣユニットへと通過させることと、第１の触媒の存在下、５００℃〜７００℃の第１の分解温度で、第１のＦＣＣユニット内で高沸点留分の少なくとも一部分を分解して、第１の分解反応生成物および使用済みの第１の触媒を生成することとをさらに含み得る。本方法は、低沸点留分を第２のＦＣＣユニットへと通過させることと、第２の触媒の存在下、５００℃〜７００℃の第２の分解温度で、第２のＦＣＣユニット内で低沸点留分の少なくとも一部分を分解して、第２の分解反応生成物および使用済みの第２の触媒を生成することとを含み得る。第１のＦＣＣユニットおよび第２のＦＣＣユニットは、高過酷度条件で動作する順流ＦＣＣユニットであり得る。本方法は、使用済みの第１の触媒の少なくとも一部分または使用済みの第２の触媒の一部分を、第１のＦＣＣユニットまたは第２のＦＣＣユニットへと通過させることをさらに含み得る。使用済みの第１の触媒の少なくとも一部分または使用済みの第２の触媒の一部分を、第１のＦＣＣユニットまたは第２のＦＣＣユニットへと通過させて戻すことにより、それぞれ第１のＦＣＣユニット内または第２のＦＣＣユニット内の第１の触媒または第２の触媒の温度および触媒活性を低下させることができる。ＦＣＣユニットに再循環される使用済みの第１または第２の触媒の量により、ＦＣＣユニットの一方または両方における活性を制御して、第１の分解反応生成物、第２の分解反応生成物、またはその両方の組成を修正することができる。ＨＳＦＣＣシステム１００を使用して、原油供給材料を少なくとも１つの石油化学生成物に変換することができ、石油化学生成物の非限定的な例には、オレフィンまたはガソリンが含まれ得る。
【００１９】
本開示で使用される場合、「反応器」は、任意で１つ以上の触媒の存在下、１つ以上の反応物間で１つ以上の化学反応が生じ得る容器を指す。例えば、反応器は、バッチ反応器、連続撹拌タンク反応器（ＣＳＴＲ）、または栓流反応器として動作するように構成されたタンクまたは管状反応器を含み得る。反応器の例には、固定床反応器などの充填床反応器、および流動床反応器が含まれる。１つ以上の「反応ゾーン」を反応器内に配置することができる。本開示で使用される場合、「反応ゾーン」は、反応器内で特定の反応が起こる領域を指す。例えば、複数の触媒床を有する充填床反応器は、複数の反応ゾーンを有することができ、各反応ゾーンは、各触媒床の面積によって画定される。
【００２０】
本開示で使用される場合、「分離ユニット」は、プロセス流中で互いに混合される１つ以上の化学物質を少なくとも部分的に分離する任意の分離デバイスを指す。例えば、分離ユニットは、異なる化学種を互いに選択的に分離して、１つ以上の化学留分を形成することができる。分離ユニットの例には、蒸留カラム、フラッシュドラム、ノックアウトドラム、ノックアウトポット、遠心分離機、サイクロン、濾過デバイス、トラップ、スクラバー、拡張デバイス、膜、および溶媒抽出デバイスなどが含まれるが、これらに限定されない。本開示に記載の分離プロセスは、ある化学成分の全てを別の化学成分の全てから完全に分離しなくてもよいことを理解されたい。本開示に記載の分離プロセスは、異なる化学構成成分を互いに「少なくとも部分的に」分離することを理解されたく、明示的に述べられなくても、分離は、単に部分的な分離を含み得ることを理解されたい。本開示で使用される場合、１つ以上の化学成分をプロセス流から「分離」して、新たなプロセス流を形成することができる。一般に、プロセス流は、分離ユニットに入り、所望の組成の２つ以上のプロセス流に分割または分離されてもよい。さらに、いくつかの分離プロセスでは、「低沸点留分」（「軽質留分」と称されることもある）および「高沸点留分」（「重質留分」と称されることもある）が分離ユニットから出てもよく、平均して、低沸点留分流の含有物は、高沸点留分流よりも低い沸点を有する。「中間沸点留分」などの他の流れが、低沸点留分と高沸点留分との間に存在し得る。
【００２１】
本開示で使用される場合、「高過酷度条件」という用語は一般に、５００℃以上のＦＣＣ温度、５：１以上の触媒対炭化水素の重量比（触媒対油の比率）、および３秒未満の滞留時間を指し、これらは全て、典型的なＦＣＣ反応条件よりも過酷であり得る。
【００２２】
「流出物」は一般に、特定の反応または分離後に、分離ユニット、反応器、または反応ゾーンなどのシステム構成要素から出る流れを指し、一般に、分離ユニット、反応器、または反応ゾーンに入った流れとは（少なくとも比例的に）異なる組成を有することを理解されたい。
【００２３】
本開示で使用される場合、「触媒」は、特定の化学反応の速度を増加させる任意の物質を指す。本開示に記載の触媒を利用して、分解（芳香族分解を含む）、脱金属化、脱硫化、および脱窒素化などであるがこれらに限定されない、様々な反応を促進することができる。本開示で使用される場合、「分解」は一般に、炭素−炭素結合を有する分子が、炭素−炭素結合のうちの１つ以上の切断によって２つ以上の分子に切断されるか、またはシクロアルカン、シクロアルカン、ナフタレン、もしくは芳香族などの環状部分を含む化合物から、環状部分を含まない化合物もしくは分解前よりも少ない環状部分を含有する化合物へと転換される、化学反応を指す。
【００２４】
本開示で使用される場合、「第１の触媒」という用語は、第１の触媒／供給物混合ゾーンから第１の分解反応ゾーンへと通過する触媒などの、第１の分解反応ゾーンに導入される触媒を指す。第１の触媒は、再生触媒、使用済みの第１の触媒、使用済みの第２の触媒、新鮮な触媒、またはそれらの組み合わせのうちの少なくとも１つを含み得る。本開示で使用される場合、「第２の触媒」という用語は、例えば、第２の触媒／供給物混合ゾーンから第２の分解反応ゾーンへと通過する触媒などの、第２の分解反応ゾーンに導入される触媒を指す。第２の触媒は、再生触媒、使用済みの第１の触媒、使用済みの第２の触媒、新鮮な触媒、またはそれらの組み合わせのうちの少なくとも１つを含み得る。
【００２５】
本開示で使用される場合、「使用済み触媒」という用語は、例えば、高沸点留分または低沸点留分などの炭化水素材料を分解するために分解反応ゾーンに導入され、それを通過しているが、分解反応ゾーンへの導入後に再生器内で再生されていない触媒を指す。「使用済み触媒」は、触媒上に堆積したコークスを有し得、部分的にコークス化された触媒および完全にコークス化された触媒を含み得る。「使用済み触媒」上に堆積したコークスの量は、再生後に再生触媒上に残っているコークスの量よりも多くあり得る。
【００２６】
本開示で使用される場合、「再生触媒」という用語は、触媒をより高い温度まで加熱するため、触媒からコークスの少なくとも一部分を酸化および除去して触媒の触媒活性の少なくとも一部分を回復させるため、またはその両方のために、分解反応ゾーンに導入され、その後再生器内で再生されている触媒を指す。「再生触媒」は、使用済み触媒と比較して、より少ないコークス、より高い温度、またはそれらの両方を有し得、使用済み触媒と比較して、より高い触媒活性を有し得る。「再生触媒」は、分解反応ゾーンおよび再生器を通過していない新鮮な触媒と比較して、より多くのコークスおよびより低い触媒活性を有し得る。
【００２７】
流れは、その流れの構成要素について命名することができ、流れが命名された構成要素は、流れの主要構成要素であってもよい（流れの含有物の５０重量パーセント（重量％）から、７０重量％から、９０重量％から、９５重量％から、９９重量％から、９９．５重量％から、またはさらには９９．９重量％から、流れの含有物の１００重量％までを含むなど）ことをさらに理解されたい。流れの構成要素は、その構成要素を含む流れがそのシステム構成要素から別の構成要素へと通過するものとして開示されるときに、あるシステム構成要素から別のシステム構成要素へと通過するものとして開示されることもまた理解されたい。例えば、第１のシステム構成要素から第２のシステム構成要素へと通過する「高沸点留分流」の開示は、同等に、第１のシステム構成要素から第２のシステム構成要素へと通過する「高沸点留分」を開示することを理解されたい。
【００２８】
炭化水素供給流は一般に、炭化水素材料を含み得る。実施形態では、炭化水素供給流の炭化水素材料は、原油であり得る。本開示で使用される場合、「原油」という用語は、原油の留分とは区別される、硫黄含有化合物、窒素含有化合物、および金属化合物などの不純物を含む、石油液体と石油ガスとの混合物を意味することを理解されたい。特定の実施形態では、原油供給原料は、百万分の５重量部（ｐｐｍｗ）未満の総金属（Ｎｉ＋Ｖ）含有量および５重量％未満のコンラッドソン炭素残留物を有する原油供給原料を提供するような、最小処理軽質原油である。
【００２９】
本説明および実施例は、炭化水素供給流１０２の炭化水素材料として原油を特定し得る一方で、それぞれ図１〜図５の実施形態に関して記載の炭化水素供給物変換システム１００は、原油、真空残留物、タールサンド、ビチューメン、大気残留物、真空軽油、脱金属化油、ナフサ流、他の炭化水素流、またはこれらの材料の組み合わせを含むがこれらに限定されない、炭化水素供給流１０２中に存在し得る、広範囲の炭化水素材料の変換に適用可能であることを理解されたい。炭化水素供給流１０２は、１つ以上の重金属、硫黄化合物、窒素化合物、無機構成成分、または他の非炭化水素化合物などの１つ以上の非炭化水素成分を含み得る。炭化水素供給流１０２が原油である場合、それは、２２度〜４０度の米国石油協会（ＡＰＩ）比重度を有し得る。例えば、利用される炭化水素供給流１０２は、アラブ重質原油であり得る。１つの特定の例示的な等級のアラブ重質原油の例示的な特性を、後続して表１に提供する。本開示で使用される場合、「炭化水素供給物」は、以前に処理、分離、または別様に精製されていない（原油などの）炭化水素原材料を指しても、炭化水素供給流１０２でＨＳＦＣＣシステム１００に導入される前に、処理、分離、反応、精製、または他の操作などのある程度の処理を受けている炭化水素材料を指してもよいことを理解されたい。
【００３０】
【表１】
2020521844.tif 000003
【００３１】
一般的に言えば、ＨＳＦＣＣシステム１００は、２つのＦＣＣユニットを含み、それらの各々において、炭化水素供給流１０２の一部分が、高過酷度の温度および圧力に維持された分解反応ゾーン内で加熱された流動触媒粒子と接触する。炭化水素供給流１０２の一部分が高温触媒と接触し、より軽質の生成物に分解されると、一般にコークスと称される炭素質堆積物が触媒上に形成される。触媒上に形成されたコークス堆積物は、触媒の触媒活性を低下させるか、または触媒を失活させる可能性がある。触媒の失活により、触媒は触媒的に無効になる可能性がある。コークス堆積物を有する使用済み触媒は、分解反応生成物から分離され、除去可能な炭化水素がストリップされ、コークスを空気の存在下で触媒から燃焼させて触媒的に有効な再生触媒を生成する再生プロセスへと通過する。「触媒的に有効」という用語は、再生触媒が分解反応の速度を増加させる能力を指す。「触媒活性」という用語は、再生触媒が分解反応の速度を増加させる程度を指し、触媒上で利用可能ないくつかの触媒活性部位に関連し得る。例えば、触媒上のコークス堆積物は、使用済み触媒上の触媒活性部位を遮蔽または遮断する可能性があり、したがって、利用可能な触媒活性部位の数を低下させ、これは、触媒の触媒活性を低下させ得る。再生後、再生触媒は、再生触媒の総重量に基づいて、１重量％以下のコークスを有し得る。燃焼生成物は、煙道ガス流として再生プロセスから除去され得る。その後、加熱された再生触媒は、ＦＣＣユニットの分解反応ゾーンに再循環されて戻され得る。
【００３２】
ここで図１を参照すると、ＨＳＦＣＣシステム１００が概略的に描写されている。ＨＳＦＣＣシステム１００は、高過酷度流動接触分解（ＨＳＦＣＣ）システムである。ＨＳＦＣＣシステム１００は一般に、炭化水素供給流１０２を受容し、炭化水素供給流１０２を直接処理して、１つ以上のシステム生成物流１１０を生成する。ＨＳＦＣＣシステム１００は、供給物分離器１０４と、第１のＦＣＣユニット１２０と、第２のＦＣＣユニット１４０と、再生器１６０とを含み得る。
【００３３】
図１を参照すると、炭化水素供給流１０２は、炭化水素供給流１０２の含有物を、高沸点留分流１０６と低沸点留分流１０８とに分離し得る、供給物分離器１０４に導入され得る。１つ以上の実施形態では、供給物分離器１０４は、フラッシュドラム（ブレイクポット、ノックアウトドラム、ノックアウトポット、圧縮機サクションドラム、または圧縮機入口ドラムとも称される）などの気液分離器であってもよい。供給物分離器１０４として気液分離器を利用する実施形態では、低沸点留分流１０８は、蒸気として供給物分離器１０４を出ることができ、高沸点留分流１０６は、液体として供給物分離器１０４を出ることができる。気液分離器は、炭化水素供給流１０２を、高沸点留分流１０６と低沸点留分流１０８とに分離するのに好適な温度で動作し得る。気液分離器の温度は、摂氏１８０度（℃）〜４００℃であり得る。例えば、低沸点留分流１０８の含有物は、少なくとも約１８０℃、かつ４００℃以下、３５０℃以下、３００℃以下、２５０℃以下、または２００℃以下の沸点を有し得る。いくつかの実施形態では、低沸点留分流１０８は、１８０℃未満の沸点を有し得る。高沸点留分流１０６の含有物は、低沸点留分流１０８の含有物の沸点よりも高い沸点を有し得る。高沸点留分流１０６の含有物は、２００℃以上、２５０℃以上、３００℃以上、３５０℃以上、または４００℃以上の沸点を有し得る。
【００３４】
１つ以上の実施形態では、供給物分離器１０４は、炭化水素供給流１０２を、高沸点留分流１０６と低沸点留分流１０８とに分離し得る、フラッシングカラムであり得る。フラッシングカラムは、１０重量％未満のコンラッドソン炭素および百万分の１０重量部（ｐｐｍｗ）未満の総金属を有する高沸点留分流１０６をもたらす、フラッシング温度で動作し得る。実施形態では、フラッシングカラムは、１８０℃〜４００℃の温度で動作し得る。あるいは、他の実施形態では、供給物分離器１０４は、蒸留デバイスまたはサイクロン蒸気液体分離デバイスのうちの少なくとも１つを含み得る。
【００３５】
炭化水素供給流１０２を供給物分離器１０４に導入する前に、炭化水素供給流１０２に１つ以上の補充供給流（図示せず）が添加されてもよい。前述のように、１つ以上の実施形態では、炭化水素供給流１０２は、原油であり得る。１つ以上の実施形態では、炭化水素供給流１０２は、原油であり、真空残留物、タールサンド、ビチューメン、大気残留物、真空軽油、脱金属化油、ナフサ流、他の炭化水素流、またはこれらの材料の組み合わせのうちの１つ以上を含む１つ以上の補充供給流が、供給物分離器１０４の上流で原油に添加されてもよい。
【００３６】
本開示は、原油である炭化水素供給流１０２の変換に注目しているが、炭化水素供給流１０２は、１つ以上の原油精製所操作から出力される複数の精製所炭化水素流を代替的に含み得る。複数の精製所炭化水素流は、例えば、真空残留物、大気残留物、または真空軽油を含み得る。いくつかの実施形態では、複数の精製所炭化水素流は、炭化水素供給流１０２に組み合わされてもよい。これらの実施形態では、炭化水素供給流１０２は、供給物分離器１０４に導入され、高沸点留分流１０６と低沸点留分流１０８とに分離され得る。あるいは、いくつかの実施形態では、複数の精製所炭化水素流は、第１のＦＣＣユニット１２０、第２のＦＣＣユニット１４０、またはその両方に直接導入されてもよい。例えば、真空残留物、大気残留物、または真空軽油などの１つ以上の重質精製所炭化水素流は、高沸点留分流１０６として第１のＦＣＣユニット１２０に直接導入されてもよく、例えば、ナフサ流などの他の軽質精製所炭化水素流は、低沸点留分流１０８として第２のＦＣＣユニット１４０に直接導入されてもよい。
【００３７】
図２を参照すると、高沸点留分流１０６は、第１の分解反応ゾーン１２２を含む第１のＦＣＣユニット１２０へと通過する。高沸点留分流１０６は、第１の触媒１２４と組み合わされるか、またはそれと混合され、分解されて、使用済みの第１の触媒１２６と第１の分解反応生成物流１２８との混合物が生成される。蒸気１２７を、第１の分解反応ゾーン１２２に添加して、第１の分解反応ゾーン１２２内の温度をさらに上昇させてもよい。使用済みの第１の触媒１２６は、第１の分解反応生成物１２８から分離され、再生器１６０の再生ゾーン１６２へと通過する。
【００３８】
さらに図２を参照すると、低沸点留分流１０８は、第２の分解反応ゾーン１４２を含む第２のＦＣＣユニット１４０へと通過する。低沸点留分流１０８は、第２の触媒１４４と混合され、分解されて、使用済みの第２の触媒１４６および第２の分解反応生成物１４８が生成される。蒸気１２７を、第２の分解反応ゾーン１４２に添加して、第２の分解反応ゾーン１４２内の温度を上昇させてもよい。使用済みの第２の触媒１４６は、第２の分解反応生成物１４８から分離され、再生器１６０の再生ゾーン１６２へと通過する。使用済みの第１の触媒１２６および使用済みの第２の触媒１４６は、再生器１６０の再生ゾーン１６２内で組み合わされ、再生されて、再生触媒１１６が生成され得る。再生触媒１１６は、使用済みの第１の触媒１２６および使用済みの第２の触媒１４６の触媒活性よりも少なくとも大きい触媒活性を有し得る。その後、再生触媒１１６は、第１の分解反応ゾーン１２２および第２の分解反応ゾーン１４２へと通過して戻され得る。第１の分解反応ゾーン１２２および第２の分解反応ゾーン１４２は、並行して動作し得る。
【００３９】
図１に戻って参照すると、実施形態では、ＨＳＦＣＣシステム１００は、例えば、使用済みの第１の触媒再循環１８０、使用済みの第２の触媒再循環１８２、またはその両方などの、少なくとも１つの触媒再循環を含み得る。触媒再循環１８０、１８２を使用して、使用済みの第１の触媒１２６、使用済みの第２の触媒１４６、またはその両方を、第１のＦＣＣユニット１２０、第２のＦＣＣユニット１４０、またはその両方に再循環することができる。使用済みの第１の触媒１２６、使用済みの第２の触媒１４６、またはその両方を、再生触媒１１６と組み合わせて第１の触媒１２４を生成して、再生触媒１１６と比較して、第１の触媒１２４の温度、触媒活性、またはその両方を低下させることができる。同様に、使用済みの第１の触媒１２６、使用済みの第２の触媒１４６、またはその両方を、再生触媒１１６と組み合わせて、再生触媒１１６と比較して、第２の触媒１４４の温度、触媒活性、またはその両方を低下させることができる。使用済みの第１の触媒１２６、使用済みの第２の触媒１４６、またはその両方の再循環については、本開示で後続してより詳細に考察する。
【００４０】
第１の分解反応生成物流１２８および第２の分解反応生成物流１４８は各々、分解炭化水素材料の混合物を含み得、これは、１つ以上のより価値のある石油化学生成物にさらに分離され、１つ以上のシステム生成物流１１０でシステムから回収される。例えば、第１の分解反応生成物流１２８、第２の分解反応生成物流１４８、またはその両方は、分解軽油、分解ガソリン、分解ナフサ、混合ブテン、ブタジエン、プロペン、エチレン、他のオレフィン、エタン、メタン、他の石油化学生成物、またはこれらの組み合わせのうちの１つ以上を含み得る。分解ガソリンをさらに処理して、例えば、ベンゼン、トルエン、ジレン、または他の芳香族などの芳香族を得ることができる。ＨＳＦＣＣシステム１００は、生成物分離器１１２を含み得る。第１の分解反応生成物流１２８、第２の分解反応生成物流１４８、または第１および第２の分解反応生成物流１２８、１４８の両方を、生成物分離器１１２に導入して、これらの流れを、複数のシステム生成物流１１０、再循環流１１１、またはシステム生成物流１１０および再循環流１１１の両方に分離することができる。いくつかの実施形態では、第１の分解反応生成物流１２８および第２の分解反応生成物流１４８は、組み合わされた分解反応生成物流１１４に組み合わされ得る。組み合わされた分解反応生成物流１１４は、生成物分離器１１２に導入され得る。図１および図２を参照すると、生成物分離器１１２は、第１の分離ゾーン１３０（図２）、第２の分離ゾーン１５０（図２）、または第１の分離ゾーン１３０および第２の分離ゾーン１５０の両方に流体的に連結され得る。実施形態では、第１のストリップされた生成物流１３４（図２）、第２のストリップされた生成物流１５４（図２）、またはその両方は、組み合わされた分解反応生成物流１１４に組み合わされ得る。
【００４１】
図１を参照すると、生成物分離器１１２は、第１の分解反応生成物流１２８、第２の分解反応生成物流１４８、または組み合わされた分解反応生成物流１１４を、１つ以上のシステム生成物流１１０に分離する、蒸留カラムであってもよく、１つ以上のシステム生成物流１１０は、１つ以上の燃料油流、ガソリン流、混合ブテン流、ブタジエン流、プロペン流、エチレン流、エタン流、メタン流、ライトサイクル油流（ＬＣＯ、２１６〜３４３℃）、ヘビーサイクル油流（ＨＣＯ、３４３℃超）、他の生成物流、またはこれらの組み合わせを含み得る。各システム生成物流１１０は、さらなる処理のために１つ以上の追加のユニット操作へと通過してもよい。実施形態では、第１の分解反応生成物流１２８および第２の分解反応生成物流１４８は、生成物分離器１１２に別個に導入され得る。本開示で使用される場合、１つ以上のシステム生成物流１１０は、石油化学生成物と称されることがあり、これは、下流の化学処理で中間体として使用されても、最終生成物としてパッケージ化されてもよい。生成物分離器１１２はまた、１つ以上の再循環流１１１も生成することができ、これは、第１のＦＣＣユニット１２０、第２のＦＣＣユニット１４０、または第１のＦＣＣユニット１２０および第２のＦＣＣユニット１４０の両方に再循環されて戻され得る。
【００４２】
図２を参照すると、第１のＦＣＣユニット１２０は、第１の触媒／供給物混合ゾーン１３６と、第１の分解反応ゾーン１２２と、第１の分離ゾーン１３０と、第１のストリッピングゾーン１３２とを含み得る。高沸点留分流１０６は、第１の触媒／供給物混合ゾーン１３６に導入されてもよく、ここで、高沸点留分流１０６は、第１の触媒１２４と混合され得る。ＨＳＦＣＣシステム１００の定常状態動作中、第１の触媒１２４は、触媒ホッパー１７４から第１の触媒／供給物混合ゾーン１３６へと通過する、少なくとも再生触媒１１６を含み得る。実施形態では、第１の触媒１２４は、使用済みの第１の触媒１２６と再生触媒１１６との混合物であってもよい。あるいは、第１の触媒１２４は、使用済みの第２の触媒１４６と再生触媒１１６との混合物であってもよい。触媒ホッパー１７４は、再生器１６０から再生触媒１１６を受容することができる。ＨＳＦＣＣシステム１００の初期起動時に、第１の触媒１２４は、第１のＦＣＣユニット１２０または第２のＦＣＣユニット１４０および再生器１６０を通って循環されていない触媒である、新鮮な触媒（図示せず）を含み得る。新鮮な触媒は、分解反応ゾーンを通って循環されていないため、新鮮な触媒は、再生触媒１１６よりも高い触媒活性を有し得る。実施形態では、新鮮な触媒はまた、ＨＳＦＣＣシステム１００の動作中に触媒ホッパー１７４に導入されてもよく、これにより、第１の触媒／供給物混合ゾーン１３６に導入される第１の触媒１２４の一部分が、新鮮な触媒を含むようになる。新鮮な触媒を、動作中に定期的に触媒ホッパー１７４に導入して、失われた触媒を補充しても、触媒中の重金属の蓄積などを通して失活した使用済み触媒を補償してもよい。
【００４３】
いくつかの実施形態では、第１の触媒／供給物混合ゾーン１３６への高沸点留分流１０６の導入前に、１つ以上の補充供給流（図示せず）が、高沸点留分流１０６と組み合わされてもよい。他の実施形態では、１つ以上の補充供給流を、第１の触媒／供給物混合ゾーン１３６に直接追加してもよく、この場合、補充供給流を、高沸点留分流１０６および第１の触媒１２４と混合してから、第１の分解反応ゾーン１２２に導入してもよい。前述のように、補充供給流は、真空残留物、タールサンド、ビチューメン、大気残留物、真空軽油、脱金属化油、ナフサ流、他の炭化水素流、またはこれらの材料の組み合わせのうちの１つ以上を含み得る。加えて、生成物分離器１１２（図１）からの１つ以上の再循環流１１１（図１）は、高沸点留分流１０６と組み合わされてもよい。例えば、再循環流は、生成物分離器１１２から回収されるサイクル油またはスラリー油を含み得る。
【００４４】
高沸点留分流１０６および第１の触媒１２４を含む混合物は、第１の触媒／供給物混合ゾーン１３６から第１の分解反応ゾーン１２２へと通過し得る。高沸点留分流１０６と第１の触媒１２４との混合物は、第１の分解反応ゾーン１２２の上部分に導入され得る。第１の分解反応ゾーン１２２は、反応物が第１の触媒／供給物混合ゾーン１３６から第１の分解反応ゾーン１２２を通って第１の分離ゾーン１３０へと垂直に下向きに流れる、順流反応器または「ダウナー」反応器であり得る。蒸気１２７を、第１の分解反応ゾーン１２２の上部分に導入して、高沸点留分流１０６と第１の触媒１２４との混合物に追加の加熱を提供してもよい。高沸点留分流１０６を、第１の分解反応ゾーン１２２内で第１の触媒１２４との接触によって反応させて、高沸点留分流１０６の少なくとも一部分に少なくとも１つの分解反応を受けさせて、前述の石油化学生成物のうちの少なくとも１つを含み得る、少なくとも１つの分解反応生成物を形成することができる。第１の触媒１２４は、第１の分解反応ゾーン１２２の第１の分解温度Ｔ１２２以上の温度を有し得、高沸点留分流１０６に熱を伝達して、吸熱分解反応を促進し得る。
【００４５】
図２に描写される第１のＦＣＣユニット１２０の第１の分解反応ゾーン１２２は、ＦＣＣユニットの第１の分解反応ゾーン１２２の１つの特定の実施形態の簡略図であること、および第１の分解反応ゾーン１２２の他の構成が、ＨＳＦＣＣシステム１００への組み込みに好適であり得ることを理解されたい。例えば、いくつかの実施形態では、第１の分解反応ゾーン１２２は、上向流分解反応ゾーンであってもよい。他の分解反応ゾーン構成が、企図される。第１のＦＣＣユニットは、第１の分解反応ゾーン１２２内で、流動化した第１の触媒１２４が高過酷度条件下で高沸点留分流１０６と接触する、ＨＳＦＣＣユニットであってもよい。第１の分解反応ゾーン１２２の第１の分解温度Ｔ１２２は、５００℃〜８００℃、５００℃〜７００℃、５００℃〜６５０℃、５００℃〜６００℃、５５０℃〜８００℃、５５０℃〜７００℃、５５０℃〜６５０℃、５５０℃〜６００℃、６００℃〜８００℃、６００℃〜７００℃、または６００℃〜６５０℃であり得る。１つ以上の実施形態では、第１の分解反応ゾーン１２２の第１の分解温度Ｔ１２２は、５００℃〜７００℃であり得る。１つ以上の実施形態では、第１の分解反応ゾーン１２２の第１の分解温度Ｔ１２２は、５５０℃〜６３０℃であり得る。
【００４６】
第１の分解反応ゾーン１２２内の第１の触媒１２４対高沸点留分流１０６の重量比（触媒対炭化水素の比率）は、５：１〜４０：１、５：１〜３５：１、５：１〜３０：１、５：１〜２５：１、５：１〜１５：１、５：１〜１０：１、１０：１〜４０：１、１０：１〜３５：１、１０：１〜３０：１、１０：１〜２５：１、１０：１〜１５：１、１５：１〜４０：１、１５：１〜３５：１、１５：１〜３０：１、１５：１〜２５：１、２５：１〜４０：１、２５：１〜３５：１、２５：１〜３０：１、または３０：１〜４０：１であり得る。第１の分解反応ゾーン１２２内での第１の触媒１２４と高沸点留分流１０６との混合物の滞留時間は、０．２秒間（秒）〜３秒、０．２秒〜２．５秒、０．２秒〜２秒、０．２秒〜１．５秒、０．４秒〜３秒、０．４秒〜２．５秒、０．４秒〜２秒、０．４秒〜１．５秒、１．５秒〜３秒、１．５秒〜２．５秒、１．５秒〜２秒、または２秒〜３秒であり得る。
【００４７】
第１の分解反応ゾーン１２２内での分解反応後、第１の分解反応ゾーン１２２からの流出物の含有物は、第１の触媒１２４および第１の分解反応生成物流１２８を含み得、これらはその後、第１の分離ゾーン１３０へと通過し得る。第１の分離ゾーン１３０では、第１の触媒１２４は、第１の分解反応生成物流１２８の少なくとも一部分から分離され得る。いくつかの実施形態では、第１の分離ゾーン１３０は、１つ以上のサイクロンなどの１つ以上の気固分離器を含み得る。第１の分離ゾーン１３０から出る第１の触媒１２４は、第１の分解反応生成物流１２８の少なくとも１つの残留部分を保持してもよい。
【００４８】
第１の分離ゾーン１３０の後、第１の触媒１２４中に保持される第１の分解反応生成物１２８の残留部分を含み得る第１の触媒１２４は、第１のストリッピングゾーン１３２へと通過してもよく、ここで、第１の分解反応生成物流１２８の残留部分の少なくともいくらかが、第１の触媒１２４からストリッピングされ、第１のストリッピング生成物流１３４として回収され得る。第１のストリッピング生成物流１３４は、１つまたは２つ以上の下流のユニット操作へと通過しても、さらなる処理のために１つまたは２つ以上の他の流れと組み合わされてもよい。蒸気１３３を、第１のストリッピングゾーン１３２に導入して、第１の触媒１２４からの第１の分解反応生成物１２８のストリッピングを促進してもよい。第１のストリッピング生成物流１３４は、第１のストリッピングゾーン１３２に導入される蒸気１３３の少なくとも一部分を含み得る。第１のストリッピング生成物流１３４は、第１のストリッピングゾーン１３２から排出され、サイクロン分離器（図示せず）を通過し、ストリッパー容器（図示せず）から出てもよい。第１のストリッピング生成物流１３４は、当該技術分野において既知である方法に従って１つ以上の生成物回収システムに配向されてもよい。第１のストリッピング生成物流１３４はまた、例えば、第１の分解反応生成物流１２８などの１つ以上の他の流れと組み合わされてもよい。第１のストリッピング生成物流１３４をストリッピングした後の第１の触媒１２４である、使用済みの第１の触媒１２６は、第１のストリッピングゾーン１３２から再生器１６０の再生ゾーン１６２へと通過して再生されて、再生触媒１１６を生成することができる。
【００４９】
図２を参照すると、低沸点留分流１０８は、供給物分離器１０４（図１）から第２のＦＣＣユニット１４０へと通過し得る。第２のＦＣＣユニット１４０は、第２の触媒／供給物混合ゾーン１５６と、第２の分解反応ゾーン１４２と、第２の分離ゾーン１５０と、第２のストリッピングゾーン１５２とを含み得る。低沸点留分流１０８は、第２の触媒／供給物混合ゾーン１５６に導入されてもよく、ここで、低沸点留分流１０８は、第２の触媒１４４と混合され得る。ＨＳＦＣＣシステム１００の定常状態動作中、第２の触媒１４４は、触媒ホッパー１７４から第２の触媒／供給物混合ゾーン１５６へと通過する、少なくとも再生触媒１１６を含み得る。実施形態では、第２の触媒１４４は、使用済みの第２の触媒１４６と再生触媒１１６との混合物であってもよい。あるいは、第２の触媒１４４は、使用済みの第１の触媒１２６と再生触媒１１６との混合物であってもよい。触媒ホッパー１７４は、使用済みの第１の触媒１２６および使用済みの第２の触媒１４６の再生後に、再生器１６０から再生触媒１１６を受容することができる。ＨＳＦＣＣシステム１００の初期起動時に、第２の触媒１４４は、第１のＦＣＣユニット１２０または第２のＦＣＣユニット１４０および再生器１６０を通って循環されていない触媒である、新鮮な触媒（図示せず）を含み得る。実施形態では、新鮮な触媒はまた、ＨＳＦＣＣシステム１００の動作中に触媒ホッパー１７４に導入されてもよく、これにより、第２の触媒／供給物混合ゾーン１５６に導入される第２の触媒１４４の少なくとも一部分が、新鮮な触媒を含むようになる。新鮮な触媒を、動作中に定期的に触媒ホッパー１７４に導入して、失われた触媒を補充しても、触媒中の重金属の蓄積などを通して永久的に失活した使用済み触媒を補償してもよい。
【００５０】
いくつかの実施形態では、第２の触媒／供給物混合ゾーン１５６への低沸点留分流１０８の導入前に、１つ以上の補充供給流（図示せず）が、低沸点留分流１０８と組み合わされてもよい。他の実施形態では、１つ以上の補充供給流を、第２の触媒／供給物混合ゾーン１５６に直接追加してもよく、この場合、補充供給流を、低沸点留分流１０８および第２の触媒１４４と混合してから、第２の分解反応ゾーン１４２に導入してもよい。補充供給流は、１つ以上のナフサ流または他の低沸点炭化水素流を含み得る。加えて、生成物分離器１１２（図１）からの１つまたは２つ以上の再循環流１１１（図１）は、低沸点留分流１０８と組み合わされてもよい。
【００５１】
低沸点留分流１０８と第２の触媒１４４とを含む混合物は、第２の触媒／供給物混合ゾーン１５６から第２の分解反応ゾーン１４２へと通過し得る。低沸点留分流１０８と第２の触媒１４４との混合物は、第２の分解反応ゾーン１４２の上部分に導入され得る。第２の分解反応ゾーン１４２は、反応物が第２の触媒／供給物混合ゾーン１５６から第２の分解反応ゾーン１４２を通って第２の分離ゾーン１５０へと下向きに流れる、順流反応器または「ダウナー」反応器であり得る。蒸気１２７を、第２の分解反応ゾーン１４２の上部分に導入して、低沸点留分流１０８と第２の触媒１４４との混合物に追加の加熱を提供してもよい。低沸点留分流１０８を、第２の分解反応ゾーン１４２内で第２の触媒１４４との接触によって反応させて、低沸点留分流１０８の少なくとも一部分に少なくとも１つの分解反応を受けさせて、前述の石油化学生成物のうちの少なくとも１つを含み得る、少なくとも１つの分解反応生成物を形成することができる。第２の触媒１４４は、第２の分解反応ゾーン１４２の第２の分解温度Ｔ１４２以上の温度を有し得、低高沸点留分流１０８に熱を伝達して、吸熱分解反応を促進し得る。
【００５２】
図２に描写される第２のＦＣＣユニット１４０の第２の分解反応ゾーン１４２は、第２の分解反応ゾーン１４２の１つの特定の実施形態の簡略図であること、および第２の分解反応ゾーン１４２の他の構成が、ＨＳＦＣＣシステム１００への組み込みに好適であり得ることを理解されたい。例えば、いくつかの実施形態では、第２の分解反応ゾーン１４２は、上向流分解反応ゾーンであってもよい。他の分解反応ゾーン構成が、企図される。第２のＦＣＣユニットは、第２の分解反応ゾーン１４２内で、流動化した第２の触媒１４４が高過酷度条件で低沸点留分流１０８と接触する、ＨＳＦＣＣユニットであってもよい。第２の分解反応ゾーン１４２の第２の分解温度Ｔ１４２は、５００℃〜８００℃、５００℃〜７００℃、５００℃〜６５０℃、５００℃〜６００℃、５５０℃〜８００℃、５５０℃〜７００℃、５５０℃〜６５０℃、５５０℃〜６００℃、６００℃〜８００℃、６００℃〜７００℃、または６００℃〜６５０℃であり得る。いくつかの実施形態では、第２の分解反応ゾーン１４２の第２の分解温度Ｔ１４２は、５００℃〜７００℃であり得る。他の実施形態では、第２の分解反応ゾーン１４２の第２の分解温度Ｔ１４２は、５５０℃〜６３０℃であり得る。いくつかの実施形態では、第２の分解温度Ｔ１４２は、第１の分解温度Ｔ１２２とは異なり得る。
【００５３】
第２の分解反応ゾーン１４２内の第２の触媒１４４対低沸点留分流１０８の重量比（触媒対炭化水素の比率）は、５：１〜４０：１、５：１〜３５：１、５：１〜３０：１、５：１〜２５：１、５：１〜１５：１、５：１〜１０：１、１０：１〜４０：１、１０：１〜３５：１、１０：１〜３０：１、１０：１〜２５：１、１０：１〜１５：１、１５：１〜４０：１、１５：１〜３５：１、１５：１〜３０：１、１５：１〜２５：１、２５：１〜４０：１、２５：１〜３５：１、２５：１〜３０：１、または３０：１〜４０：１であり得る。いくつかの実施形態では、第２の分解反応ゾーン１４２内の第２の触媒１４４対低沸点留分流１０８の重量比は、第１の分解反応ゾーン１２２内の第１の触媒１２４対高沸点留分流１０６の重量比とは異なり得る。第２の分解反応ゾーン１４２内での第２の触媒１４４と低沸点留分流１０８との混合物の滞留時間は、０．２秒間（秒）〜３秒、０．２秒〜２．５秒、０．２秒〜２秒、０．２秒〜１．５秒、０．４秒〜３秒、０．４秒〜２．５秒、０．４秒〜２秒、０．４秒〜１．５秒、１．５秒〜３秒、１．５秒〜２．５秒、１．５秒〜２秒、または２秒〜３秒であり得る。いくつかの実施形態では、第２の分解反応ゾーン１４２内での滞留時間は、第１の分解反応ゾーン１２２内での滞留時間とは異なり得る。
【００５４】
第２の分解反応ゾーン１４２内での分解反応後、第２の分解反応ゾーン１４２からの流出物の含有物は、第２の触媒１４４および第２の分解反応生成物流１４８を含み得、これらは、第２の分離ゾーン１５０へと通過し得る。第２の分離ゾーン１５０では、第２の触媒１４４は、第２の分解反応生成物流１４８の少なくとも一部分から分離され得る。実施形態では、第２の分離ゾーン１５０は、１つ以上のサイクロンなどの１つ以上の気固分離器を含み得る。第２の分離ゾーン１５０から出る第２の触媒１４４は、第２の分解反応生成物流１４８の少なくとも１つの残留部分を保持してもよい。
【００５５】
第２の分離ゾーン１５０の後、第２の触媒１４４は、第２のストリッピングゾーン１５２へと通過してもよく、ここで、第２の分解反応生成物流１４８の残留部分の少なくとも一部分が、第２の触媒１４４からストリッピングされ、第２のストリッピング生成物流１５４として回収され得る。第２のストリッピング生成物流１５４は、１つまたは２つ以上の下流のユニット操作へと通過しても、さらなる処理のために１つまたは２つ以上の他の流れと組み合わされてもよい。蒸気１３３を、第２のストリッピングゾーン１５２に導入して、第２の触媒１４４からの第２の分解反応生成物１４８のストリッピングを促進してもよい。第２のストリッピング生成物流１５４は、第２のストリッピングゾーン１５２に導入される蒸気１３３の少なくとも一部分を含み得、第２のストリッピングゾーン１５２を通過して出てもよい。第２のストリッピング生成物流１５４は、サイクロン分離器（図示せず）を通過し、ストリッパー容器（図示せず）から出てもよい。第２のストリッピング生成物流１５４は、当該技術分野において既知である方法に従って１つ以上の生成物回収システムに配向されてもよい。第２のストリッピング生成物流１５４はまた、第２の分解反応生成物流１４８などの１つ以上の他の流れと組み合わされてもよい。他の流れとの組み合わせが、企図される。第２のストリッピング生成物流１５４をストリッピングした後の第２の触媒１４４である、使用済みの第２の触媒１４６は、第２のストリッピングゾーン１５２から再生器１６０の再生ゾーン１６２へと通過し得る。
【００５６】
図２を参照すると、第１の触媒１２４および第２の触媒１４４などについて、ＨＳＦＣＣシステム１００全体を通して同じ種類の触媒が使用され得る。ＨＳＦＣＣシステム１００で使用される触媒（第１の触媒１２４および第２の触媒１４４）は、第１の分解反応ゾーン１２２内および第２の分解反応ゾーン１４２内での使用に好適である、１つ以上の流動接触分解触媒を含み得る。触媒は、熱媒体であってもよく、高過酷度条件で動作する第１の分解反応ゾーン１２２の高沸点留分流１０６、および高過酷度条件で動作する第２の分解反応ゾーン１４２の低沸点留分１０８に熱伝達を提供してもよい。触媒はまた、分解反応を促進する複数の触媒活性部位（例えば、酸性部位など）も有し得る。例えば、実施形態では、触媒は、高い触媒活性を有する高活性ＦＣＣ触媒であってもよい。ＨＳＦＣＣシステム１００での使用に好適な流動接触分解触媒の例には、ゼオライト、シリカ−アルミナ触媒、一酸化炭素燃焼促進添加剤、残油分解添加剤、軽質オレフィン生成添加剤、他の触媒添加剤、またはこれらの構成要素の組み合わせが含まれるが、これらに限定されない。分解用触媒の少なくとも一部分として使用され得るゼオライトには、Ｙゼオライト、ＲＥＹゼオライト、ＵＳＹゼオライト、ＲＥ−ＵＳＹゼオライト、またはこれらの組み合わせが含まれるが、これらに限定されない。触媒はまた、ＺＳＭ−５ゼオライト結晶または他のペンタシル型触媒構造などの成形選択的触媒添加剤も含み得、これらはしばしば、軽質オレフィンの生成および／またはＦＣＣガソリンオクタンの増加のために、他のＦＣＣプロセスで使用される。１つ以上の実施形態では、触媒は、ＺＳＭ−５ゼオライト結晶と分解触媒ゼオライトとの混合物、および典型的なＦＣＣ分解触媒のマトリックス構造を含み得る。１つ以上の実施形態では、触媒は、粘土、アルミナ、および結合剤が埋め込まれた、Ｙゼオライト触媒とＺＳＭ−５ゼオライト触媒との混合物であってもよい。
【００５７】
１つ以上の実施形態では、触媒の少なくとも一部分は、１つ以上の希土類元素（ＩＵＰＡＣ周期表のランタニド系列の１５元素に加えて、スカンジウムおよびイットリウム）、アルカリ土類金属（ＩＵＰＡＣ周期表の第２族）、遷移金属、リン、フッ素、またはこれらの任意の組み合わせを含むように修飾することができ、これらは、第１の分解反応ゾーン１２２、第２の分解反応ゾーン１４２、またはその両方においてオレフィン収率を強化することができる。遷移金属には、「その原子が部分的に充填されたｄサブシェルを有する元素、または不完全なｄサブシェルを有するカチオンを生じさせ得る元素」が含まれ得る［ＩＵＰＡＣ，Ｃｏｍｐｅｎｄｉｕｍ  ｏｆ  Ｃｈｅｍｉｃａｌ  Ｔｅｒｍｉｎｏｌｏｇｙ，２ｎｄ  ｅｄ．（ｔｈｅ“Ｇｏｌｄ  Ｂｏｏｋ”）（１９９７）．Ｏｎｌｉｎｅ  ｃｏｒｒｅｃｔｅｄ  ｖｅｒｓｉｏｎ：（２００６−）“ｔｒａｎｓｉｔｉｏｎ  ｅｌｅｍｅｎｔ”］。１つ以上の遷移金属または金属酸化物もまた、触媒上に含浸されてもよい。金属または金属酸化物は、ＩＵＰＡＣ周期表の第６〜１０族の１つ以上の金属を含み得る。いくつかの実施形態では、金属または金属酸化物は、モリブデン、レニウム、タングステン、またはこれらの任意の組み合わせのうちの１つ以上を含み得る。１つ以上の実施形態では、触媒の一部分に、酸化タングステンを含浸させてもよい。
【００５８】
図２を参照すると、第１のＦＣＣユニット１２０および第２のＦＣＣユニット１４０は、再生器１６０を共有する。使用済みの第１の触媒１２６および使用済みの第２の触媒１４６は、再生器１６０へと通過し、ここで、使用済みの第１の触媒１２６および使用済みの第２の触媒１４６は、一緒に混合され、再生されて、再生触媒１１６が生成される。１６６再生器１６０は、再生ゾーン１６２と、触媒伝達線１６４と、触媒ホッパー１７４と、煙道ガスベント１６６とを含み得る。触媒伝達線１６４は、再生ゾーン１６２から触媒ホッパー１７４へと再生触媒１１６を通過させるために、再生ゾーン１６２および触媒ホッパー１７４に流体的に連結されている。いくつかの実施形態では、再生器１６０は、例えば、第１のＦＣＣユニット１２０用の第１の触媒ホッパー（図示せず）および第２のＦＣＣユニット１４０用の第２の触媒ホッパー（図示せず）などの２つ以上の触媒ホッパー１７４を有し得る。いくつかの実施形態では、煙道ガスベント１６６が、触媒ホッパー１７４に位置付けられてもよい。
【００５９】
動作中、使用済みの第１の触媒１２６および使用済みの第２の触媒１４６はそれぞれ、第１のストリッピングゾーン１３２および第２のストリッピングゾーン１５２から、再生ゾーン１６２へと通過し得る。燃焼ガス１７０が、再生ゾーン１６２に導入され得る。燃焼ガス１７０は、燃焼空気、酸素、燃料ガス、燃料油、他の構成要素、またはこれらの任意の組み合わせのうちの１つ以上を含み得る。再生ゾーン１６２では、使用済みの第１の触媒１２６上および使用済みの第２の触媒１４６上に堆積したコークスは、燃焼ガス１７０の存在下で少なくとも部分的に酸化（燃焼）して、少なくとも二酸化炭素および水を形成することができる。いくつかの実施形態では、使用済みの第１の触媒１２６上および使用済みの第２の触媒１４６上のコークス堆積物は、再生ゾーン１６２内で完全に酸化されてもよい。例えば、残留する第１の分解反応生成物または第２の分解反応生成物などの他の有機化合物もまた、再生ゾーン内の燃焼ガス１７０の存在下で酸化する可能性がある。例えば、一酸化炭素などの他のガスが、再生ゾーン１６２内でのコークス酸化中に形成され得る。コークス堆積物の酸化は、熱を生成し、この熱は、再生触媒１１６に伝達され、かつそれによって保持され得る。
【００６０】
使用済みの第１の触媒１２６および使用済みの第２の触媒１４６を再生するための単一の触媒再生器１６０は、ＨＳＦＣＣシステム１００の全体的な効率を改善し得る。例えば、第２のＦＣＣユニット１４０内での低沸点留分１０８の分解は、第１のＦＣＣユニット内での高沸点留分１０６の分解と比較して、使用済みの第２の触媒１４６上により少ないコークス堆積物を生成し得る。再生中の使用済みの第２の触媒１４６上のコークス堆積物の燃焼は、熱を生成するが、使用済みの第２の触媒１４６上に存在するコークスの量は、第２の分解反応ゾーン１４２内で分解反応を実行するのに十分な熱の生成には十分でない可能性がある。したがって、使用済みの第２の触媒１４６の再生自体は、再生触媒１１６の温度を第２の分解反応ゾーン１４２で許容される第２の分解温度Ｔ１４２まで上昇させるのに十分な熱を生成しない可能性がある。比較すると、第１のＦＣＣユニット１２０内で高沸点留分流１０６の分解中に使用済みの第１の触媒１２６上に形成および堆積されるコークスの量は、第２の分解反応ゾーン１４２内で生成されるコークス堆積物よりも実質的に多くなり得る。触媒再生中の使用済みの第１の触媒１２６上のコークス堆積物の燃焼は、再生触媒１１６（使用済みの第１の触媒１２６および使用済みの第２の触媒１４６の両方から生成される再生触媒１１６を含む）の温度を高過酷度条件（例えば、第１の分解温度Ｔ１２２または第２の分解温度Ｔ１４２以上の再生触媒温度Ｔ１１６など）まで上昇させるのに十分な熱を生成することができ、第１の分解反応ゾーン１２２内および第２の分解反応ゾーン１４２内の両方で分解反応の実行に必要とされる熱を提供することができる。
【００６１】
煙道ガス１７２は、再生触媒１１６を、触媒伝達線１６４を通って再生ゾーン１６２から触媒ホッパー１７４へと運ぶことができる。再生触媒１１６は、触媒ホッパー１７４から第１のＦＣＣユニット１２０および第２のＦＣＣユニット１４０へと通過する前に、触媒ホッパー１７４内に蓄積してもよい。触媒ホッパー１７４は、再生触媒１１６から煙道ガス１７２を分離するための気固分離器として機能することができる。実施形態では、煙道ガス１７２は、触媒ホッパー１７４内に配置された煙道ガスベント１６６を通って触媒ホッパー１７４から出てもよい。
【００６２】
触媒は、第１のＦＣＣユニット１２０、第２のＦＣＣユニット１４０、再生器１６０、および触媒ホッパー１７４を通って循環されてもよい。例えば、第１の触媒１２４を第１のＦＣＣユニット１２０に導入して、第１のＦＣＣユニット１２０内で高沸点留分１０６を接触分解することができる。分解中、コークス堆積物が第１の触媒１２４上に形成されて、第１のストリッピングゾーン１３２を通過して出る使用済みの第１の触媒１２６が生成され得る。使用済みの第１の触媒１２６は、再生触媒１１６よりも低い触媒活性を有する可能性があり、これは、使用済みの第１の触媒１２６は、再生触媒１１６と比較して、分解反応を可能にする効果がより低くなり得ることを意味する。使用済みの第１の触媒１２６は、第１の分離ゾーン１３０内および第１のストリッピングゾーン１３２内で第１の分解反応生成物流１２８から分離され得る。第２の触媒１４４を第２のＦＣＣユニット１４０に導入して、第２のＦＣＣユニット１４０内で低沸点留分１０８を接触分解することができる。分解中、コークス堆積物が第２の触媒１４４上に形成されて、第２のストリッピングゾーン１５２を通過して出る使用済みの第２の触媒１４６が生成され得る。使用済みの第２の触媒１４６は、再生触媒１１６の触媒活性よりも低い触媒活性を有する可能性があり、これは、使用済みの第２の触媒１４６は、再生触媒１１６と比較して、分解反応を可能にする効果がより低くなり得ることを意味する。使用済みの第２の触媒１４６は、第２の分離ゾーン１５０内および第２のストリッピングゾーン１５２内で第２の分解反応生成物流１４８から分離され得る。その後、使用済みの第１の触媒１２６および使用済みの第２の触媒１４６は、再生ゾーン１６２内で組み合わされ、再生されて、再生触媒１１６が生成され得る。再生触媒１１６は、触媒ホッパー１７４に伝達されてもよい。
【００６３】
再生ゾーン１６２を通過して出る再生触媒１１６は、再生触媒１１６の総重量に基づいて、１重量％未満のコークス堆積物を有し得る。いくつかの実施形態では、再生ゾーン１６２を通過して出る再生触媒１１６は、０．５重量％未満、０．１重量％未満、または０．０５重量％未満のコークス堆積物を有し得る。いくつかの実施形態では、再生ゾーン１６２から触媒ホッパー１７４へと通過して出る再生触媒１１６は、再生触媒１１６の総重量に基づいて、０．００１重量％〜１重量％、０．００１重量％〜０．５重量％、０．００１重量％〜０．１重量％、０．００１重量％〜０．０５重量％、０．００５重量％〜１重量％、０．００５重量％〜０．５重量％、０．００５重量％〜０．１重量％、０．００５重量％〜０．０５重量％、０．０１重量％〜１重量％、０．０１重量％から、０．５重量％まで、０．０１重量％まで、０．１重量％まで、０．０１重量％〜０．０５重量％のコークス堆積物を有し得る。１つ以上の実施形態では、再生ゾーン１６２を通過して出る再生触媒１１６は、コークス堆積物を実質的に含まない可能性がある。本開示で使用される場合、ある構成要素を「実質的に含まない」という用語は、触媒、流れ、または反応ゾーンの特定の部分において、その構成要素が１重量％未満であることを意味する。一例として、コークス堆積物を実質的に含まない再生触媒１１６は、１重量％未満のコークス堆積物を有し得る。再生ゾーン１６２内で再生触媒１１６からコークス堆積物を除去することにより、分解反応を促進する触媒の触媒活性部位（例えば、酸性部位など）からコークス堆積物を除去することができる。触媒上の触媒活性部位からコークス堆積物を除去することにより、使用済みの第１の触媒１２６および使用済みの第２の触媒１４６と比較して、再生触媒１１６の触媒活性を増加させることができる。したがって、再生触媒１１６は、使用済みの第１の触媒１２６および使用済みの第２の触媒１４６よりも大きい触媒活性を有し得る。
【００６４】
再生触媒１１６は、コークス堆積物の燃焼から生成された熱の少なくとも一部分を吸収することができる。この熱は、使用済みの第１の触媒１２６および使用済みの第２の触媒１４６の温度と比較して、再生触媒１１６の温度を上昇させ得る。再生触媒１１６は、それが第１の触媒１２４の少なくとも一部分として第１のＦＣＣユニット１２０へと通過して戻され、第２の触媒１４４の少なくとも一部分として第２のＦＣＣユニット１４０へと通過して戻されるまで、触媒ホッパー１７４内に蓄積してもよい。触媒ホッパー１７４内の再生触媒１１６は、第１のＦＣＣユニット１２０の第１の分解反応ゾーン１２２内の第１の分解温度Ｔ１２２、第２のＦＣＣユニット１４０の第２の分解反応ゾーン１４２内の第２の分解温度Ｔ１４２、またはその両方以上である温度を有し得る。再生触媒１１６のより高い温度は、第１の分解反応ゾーン１２２、第２の分解反応ゾーン１４２、またはその両方における吸熱分解反応に熱を提供することができる。
【００６５】
以前に考察したように、例えば、原油などの炭化水素供給流１０２は、広範囲の組成および広範囲の沸点を有し得る。炭化水素供給流１０２は、高沸点留分１０６と低沸点留分１０８とに分離され得る。高沸点留分１０６は一般に、低沸点留分１０８とは異なる組成を有する。したがって、高沸点留分１０６および低沸点留分１０８の各々は、１つ以上の石油化学生成物の所望の収率を生成するため、または特定の生成物に対する反応の選択性を増加させるために、異なる動作温度および触媒活性を必要とし得る。例えば、高沸点留分１０６は、低沸点留分１０８よりも反応性が高くあり得るため、特定の石油化学生成物の十分な収率またはそれに対する選択性をもたらすのに、低沸点留分１０８よりも少ない分解活性を必要とし得る。高沸点留分１０６に好適なより低い分解活性は、第１の分解反応ゾーン１２２内の第１の触媒１２４の触媒活性を低下させること、第１の分解反応ゾーン１２２内の第１の分解温度Ｔ１２２を低下させること、またはその両方の組み合わせによって提供することができる。対照的に、低沸点留分１０８は、より反応性が低くあり得、高沸点留分１０６と比較して、特定の石油化学生成物の十分な収率またはそれに対する選択性をもたらすのに、第２の分解反応ゾーン１４２内の第２の触媒１４４の触媒活性の増加、第１の分解温度Ｔ１２２よりも高い第２の分解反応ゾーン１４２内の第２の分解温度Ｔ１４２、またはその両方などのより大きな触媒活性を必要とし得る。
【００６６】
本開示で前述のように、ＨＳＦＣＣシステム１００は、使用済みの第１の触媒１２６および使用済みの第２の触媒１４６を再生して、再生触媒１１６を生成するための、単一の再生器１６０を含み得る。したがって、第１のＦＣＣユニット１２０へと通過する再生触媒１１６は、第２のＦＣＣユニット１４０へと通過する再生触媒１１６と同じであり、それと同じ触媒有効性および温度を有する。しかしながら、以前に考察したように、特定の石油化学生成物の十分な収率またはそれに対する選択性をもたらすための第１のＦＣＣユニット１２０内または第２のＦＣＣユニット１４０内の反応条件は、再生触媒１１６を、第１のＦＣＣユニット１２０または第２のＦＣＣユニット１４０のうちの他方に通過させることによって提供される反応条件とは異なり得る。
【００６７】
図２〜５を参照すると、本開示に記載の実施形態では、使用済みの第１の触媒１２６の一部分、使用済みの第２の触媒１４６の一部分、またはその両方は、第１のＦＣＣユニット１２０、第２のＦＣＣユニット１４０、またはその両方に再循環され得る。使用済みの第１の触媒１２６の再循環部分１９０、使用済みの第２の触媒１４６の再循環部分１９４、またはその両方が、再生されることなく、第１のＦＣＣユニット１２０、第２のＦＣＣユニット１４０、またはその両方に導入されて戻され得るように、使用済みの第１の触媒１２６の再循環部分１９０（図２）、使用済みの第２の触媒１４６の再循環部分１９４（図３）、またはその両方は、再生器１６０を迂回してもよい。使用済みの第１の触媒１２６の再循環部分１９０の使用済みの第１の触媒温度Ｔ１２６、使用済みの第２の触媒１４６の再循環部分１９４の使用済みの第２の触媒温度Ｔ１４６、またはその両方は、再生触媒温度Ｔ１１６未満であってもよい。加えて、使用済みの第１の触媒１２６の再循環部分１９０、使用済みの第２の触媒１４６の再循環部分１９４、またはその両方は、再生触媒１１６と比較して、低下した触媒有効性を有し得る。
【００６８】
使用済みの第１の触媒１２６または使用済みの第２の触媒１４６の一部分を、第１のＦＣＣユニット１２０、第２のＦＣＣユニット１４０、またはその両方に再循環して戻すことにより、第１の分解反応ゾーン１２２内の第１の分解温度Ｔ１２２または第２の分解反応ゾーン内の第２の分解温度Ｔ１４２、またはその両方を低下させることができる。使用済みの第１の触媒１２６または使用済みの第２の触媒１４６の一部分を、第１のＦＣＣユニット１２０、第２のＦＣＣユニット１４０、またはその両方に再循環して戻すことにより、第１の分解反応ゾーン１２２内の第１の触媒１２４、第２の分解反応ゾーン１４２内の第２の触媒１４４、またはその両方の平均触媒活性もまた低下させることができる。
【００６９】
図２を参照すると、ＨＳＦＣＣシステム１００は、使用済みの第１の触媒再循環１８０を含み得る。使用済みの第１の触媒再循環１８０は、第１のストリッピングゾーン１３２の流出口１３５を、第１の触媒／供給物混合ゾーン１３６の流入口１３７に流体的に連結することができる。使用済みの第１の触媒再循環１８０は、使用済みの第１の触媒１２６の再循環部分１９０を、第１ストリッピングゾーン１３２の流出口１３５から第１の触媒／供給物混合ゾーン１３６の流入口１３７へと通過させることができる。第１の分解反応ゾーン１２２に導入される第１の触媒１２４が、再生触媒１１６と使用済みの第１の触媒１２６の再循環部分１９０との混合物を含むように、使用済みの第１の触媒１２６の再循環部分１９０は、第１の分解反応ゾーン１２２の上流にある触媒ホッパー１７４からの再生触媒１１６と組み合わされてもよい。いくつかの実施形態では、使用済みの第１の触媒１２６の再循環部分１９０は、第１の触媒／供給物混合ゾーン１３６に導入されてもよく、ここで、第１の触媒１２４（使用済みの第１の触媒１２６と再生触媒１１６との混合物）および高沸点留分流１０６を第１の分解反応ゾーン１２２へと通過させる前に、使用済みの第１の触媒１２６の再循環部分１９０は、再生触媒１１６および高沸点留分流１０６と混合される。他の実施形態では、使用済みの第１の触媒１２６の再循環部分１９０は、第１の触媒／供給物混合ゾーン１３６の上流にある再生触媒１１６と組み合わされてもよい。使用済みの第１の触媒１２６の非再循環部分１９２は、再生のために再生器１６０へと通過してもよい。
【００７０】
使用済みの第１の触媒１２６の再循環部分１９０は、再生触媒１１６の再生触媒温度Ｔ１１６未満である使用済みの第１の触媒温度Ｔ１２６を有し得る。使用済みの第１の触媒１２６の再循環部分１９０と再生触媒１１６との混合により、第１の分解反応ゾーン１２２に導入される第１の触媒１２４の平均温度を低下させることができる。第１の触媒１２４の平均温度を低下させることにより、第１の分解反応ゾーン１２２内の第１の分解温度Ｔ１２２を低下させることができる。
【００７１】
加えて、使用済みの第１の触媒１２６の再循環部分１９０と再生触媒１１６との混合により、第１の分解反応ゾーン１２２に導入される第１の触媒１２４の平均触媒活性を低下させることができる。以前に考察したように、第１の分解反応ゾーン１２２内での分解反応中、使用済みの第１の触媒１２６上にコークス堆積物が形成される可能性がある。コークス堆積物は、使用済みの第１の触媒１２６上の触媒活性部位を遮断し、使用済みの第１の触媒１２６の触媒活性を低下させる可能性がある。使用済みの第１の触媒１２６は、再生触媒１１６と比較して、より低い触媒活性を有し得る。したがって、使用済みの第１の触媒１２６の再循環部分１９０を再生触媒１１６と混合して、第１の触媒１２４を生成することにより、再生触媒１１６の触媒活性と比較して、第１の分解反応ゾーン１２２に導入される第１の触媒１２４の平均触媒活性を低下させることができる。
【００７２】
実施形態では、第１の分解反応ゾーン１２２に導入される第１の触媒１２４は、再生触媒温度Ｔ１１６と比較して、第１の分解反応ゾーン１２２内の第１の分解温度Ｔ１２２を低下させるのに十分な、使用済みの第１の触媒１２６対再生触媒１１６の重量比を有し得る。他の実施形態では、第１の分解反応ゾーン１２２に導入される第１の触媒１２４は、再生触媒１１６の触媒活性と比較と比較して、第１の分解反応ゾーン１２２に導入される第１の触媒１２４の平均触媒活性を低下させるのに十分な、使用済みの第１の触媒１２６対再生済触媒１１６の重量比を有し得る。第１の触媒１２４は、再生触媒１１６を、使用済みの第１の触媒１２６を有しない第１の分解反応ゾーン１２２に供給することによって達成可能な同じ石油化学生成物の収率と比較して、第１の分解反応生成物流１２８中の石油化学生成物の収率を増加させるのに十分な、使用済みの第１の触媒１２６対再生済触媒１１６の重量比を有し得る。実施形態では、第１の分解反応ゾーン１２２に導入される第１の触媒１２４は、１：９９〜９９：１、１：９９〜９０：１０、１：９９〜７５：２５、１：９９〜５０：５０、１：９９〜２５：７５、１：９９〜１０：９０、１０：９０〜９９：１、１０：９０〜９０：１０、１０：９０〜７５：２５、１０：９０〜５０：５０、１０：９０〜２５：７５、２５：７５〜９９：１、２５：７５〜９０：１０、２５：７５〜７５：２５、２５：７５〜５０：５０、５０：５０〜９９：１、５０：５０〜９０：１０、５０：５０〜７５：２５、７５：２５〜９９：１、７５：２５〜９０：１０、または９０：１０〜９９：１の使用済みの第１の触媒１２６対再生済触媒１１６の重量比を有し得る。
【００７３】
実施形態では、第１の分解反応ゾーン１２２に導入される第１の触媒１２４中の使用済みの第１の触媒１２６対再生触媒１１６の重量比を制御して、第１の分解反応ゾーン１２２内の反応条件を修正することができる。例えば、第１の分解反応ゾーン１２２に導入される第１の触媒１２４中の使用済みの第１の触媒１２６対再生触媒１１６の重量比を制御することにより、第１の分解反応ゾーン１２２内の第１の分解温度Ｔ１２２、平均触媒活性、またはその両方を制御することができ、これは、第１の分解反応生成物流１２８中の１つ以上の石油化学生成物の収率の改善を可能にし得る。使用済みの第１の触媒再循環１８０を通る使用済みの第１の触媒１２６の再循環部分１９０の流量、触媒ホッパー１７４からの再生触媒１１６の流量、またはその両方を制御することによって、使用済みの第１の触媒１２６対再生触媒１１６の重量比を制御することができる。実施形態では、第１の分解反応ゾーン１２２に導入される第１の触媒１２４中の使用済みの第１の触媒１２６対再生触媒１１６の重量比を増加させることにより、例えば、ブテン、プロペン、および他のオレフィンなどのオレフィンの収率を増加させることができ、ガソリンの収率を減少させることができる。あるいは、他の実施形態では、第１の分解反応ゾーン１２２に導入される第１の触媒１２４中の使用済みの第１の触媒１２６対再生触媒１１６の重量比を減少させることにより、ガソリンの収率を増加させることができ、例えば、ブテン、プロペン、および他のオレフィンなどのオレフィンの収率を減少させることができる。
【００７４】
第１の分解反応ゾーン１２２に導入される第１の触媒１２４中の使用済みの第１の触媒１２６対再生触媒１１６の重量比、または使用済みの第１の触媒１２６の再循環率は、第１の分解反応ゾーン１２２内の触媒対炭化水素の重量比に応じて制御することができる。あるいは、第１の分解反応ゾーン１２２に導入される第１の触媒１２４中の使用済みの第１の触媒１２６対再生触媒１１６の重量比、または使用済みの第１の触媒１２６の再循環率は、第１の分解反応ゾーン１２２の生成物選択性に応じて制御することができ、これは、第１の分解反応生成物流１２８の組成を測定することによって決定することができる。
【００７５】
図３の実施形態を参照すると、ＨＳＦＣＣシステム１００は、使用済みの第２の触媒再循環１８２を含み得る。使用済みの第２の触媒再循環１８２は、第２のストリッピングゾーン１５２の流出口１５５を、第２の触媒／供給物混合ゾーン１５６の流入口１５７に流体的に連結することができる。使用済みの第２の触媒再循環１８２は、使用済みの第２の触媒１４６の再循環部分１９４を、第２ストリッピングゾーン１５２の流出口１５５から第２の触媒／供給物混合ゾーン１５６の流入口１５７へと通過させることができる。第２の分解反応ゾーン１４２に導入される第２の触媒１４４が、再生触媒１１６と使用済みの第２の触媒１４６の再循環部分１９４との混合物を含むように、使用済みの第２の触媒１４６の再循環部分１９４は、第２の分解反応ゾーン１４２の上流にある触媒ホッパー１７４からの再生触媒１１６と組み合わされてもよい。いくつかの実施形態では、使用済みの第２の触媒１４６の再循環部分１９４は、第２の触媒／供給物混合ゾーン１５６に導入されてもよく、ここで、第２の触媒１４４（使用済みの第２の触媒１４６と再生触媒１１６との混合物）および低沸点留分流１０８を第２の分解反応ゾーン１４２へと通過させる前に、使用済みの第２の触媒１４６の再循環部分１９４は、再生触媒１１６および低沸点留分流１０８と混合される。他の実施形態では、使用済みの第２の触媒１４６の再循環部分１９４は、第２の触媒／供給物混合ゾーン１５６の上流にある再生触媒１１６と組み合わされてもよい。使用済みの第２の触媒１４６の非再循環部分１９６は、再生のために再生器１６０へと通過してもよい。
【００７６】
使用済みの第２の触媒１４６の再循環部分１９４は、再生触媒１１６の再生触媒温度Ｔ１１６未満であり得る使用済みの第２の触媒温度Ｔ１４６を有し得る。使用済みの第２の触媒１４６の再循環部分１９４と再生触媒１１６との混合により、第２の分解反応ゾーン１４２に導入される第２の触媒１４４の平均温度を低下させることができる。第２の触媒１４４の平均温度を低下させることにより、第２の分解反応ゾーン１４２内の第２の分解温度Ｔ１４２を低下させることができる。
【００７７】
加えて、使用済みの第２の触媒１４６の再循環部分１９４と再生触媒１１６との混合により、第２の分解反応ゾーン１４２に導入される第２の触媒１４４の平均触媒活性を低下させることができる。以前に考察したように、第２の分解反応ゾーン１４２内での分解反応中、使用済みの第２の触媒１４６上にコークス堆積物が形成される可能性がある。コークス堆積物は、使用済みの第２の触媒１４６上の触媒活性部位を遮断し、使用済みの第２の触媒１４６の触媒有効性を低下させる可能性がある。使用済みの第２の触媒１４６は、再生触媒１１６と比較して、より低い触媒有効性を有し得る。したがって、使用済みの第２の触媒１４６の再循環部分１９４を再生触媒１１６と混合して、第２の分解反応ゾーン１４２に第２の触媒１４４を提供することにより、再生触媒１１６の触媒活性と比較して、第２の分解反応ゾーン１４２に導入される第２の触媒１４４の平均触媒活性を低下させることができる。
【００７８】
さらに図３の実施形態を参照すると、第２分解反応ゾーン１４２に導入される第２の触媒１４４は、再生触媒温度Ｔ１１６と比較して、第２の分解反応ゾーン１４２内の第２の分解温度Ｔ１４２を低下させるのに十分な、使用済みの第２の触媒１４６対再生触媒１１６の重量比を有し得る。他の実施形態では、第２の分解反応ゾーン１４２に導入される第２の触媒１４４は、再生触媒１１６の触媒活性と比較して、第２の分解反応ゾーン１４２に導入される第２の触媒１４４の平均触媒活性を低下させるのに十分な、再生触媒１１６に対する使用済みの第２の触媒１４６の重量比を有し得る。第２の触媒１４４は、再生触媒１１６を、使用済みの第２の触媒１４６を有しない第２の分解反応ゾーン１４２に供給することによって達成可能な同じ石油化学生成物の収率と比較して、第２の分解反応生成物流１４８中の石油化学生成物の収率を増加させるのに十分な、使用済みの第２の触媒１４６対再生触媒１１６の重量比を有し得る。実施形態では、第２の分解反応ゾーン１４２に導入される第２の触媒１４４は、１：９９〜９９：１、１：９９〜９０：１０、１：９９〜７５：２５、１：９９〜５０：５０、１：９９〜２５：７５、１：９９〜１０：９０、１０：９０〜９９：１、１０：９０〜９０：１０、１０：９０〜７５：２５、１０：９０〜５０：５０、１０：９０〜２５：７５、２５：７５〜９９：１、２５：７５〜９０：１０、２５：７５〜７５：２５、２５：７５〜５０：５０、５０：５０〜９９：１、５０：５０〜９０：１０、５０：５０〜７５：２５、７５：２５〜９９：１、７５：２５〜９０：１０、または９０：１０〜９９：１の使用済みの第２の触媒１４６対再生済触媒１１６の重量比を有し得る。
【００７９】
第２の分解反応ゾーン１４２に導入される第２の触媒１４４中の使用済みの第２の触媒１４６対再生触媒１１６の重量比を制御して、第２の分解反応ゾーン１４２内の反応条件を修正することができる。例えば、第２の触媒１４４中の使用済みの第２の触媒１４６対再生触媒１１６の重量比を制御することにより、第２の分解反応ゾーン１４２の第２の分解温度Ｔ１４２、平均触媒活性、またはその両方を制御することができ、これは、第２の分解反応生成物流１４８中の１つ以上の石油化学生成物の収率の増加を可能にし得る。使用済みの第２の触媒再循環１８２を通る使用済みの第２の触媒１４６の再循環部分１９４の流量、触媒ホッパー１７４からの再生触媒１１６の流量、またはその両方を制御することによって、使用済みの第２の触媒１４６対再生触媒１１６の重量比を制御することができる。実施形態では、第２の分解反応ゾーン１４２に導入される第２の触媒１４４中の使用済みの第２の触媒１４６対再生触媒１１６の重量比を増加させることにより、例えば、ブテン、プロペン、および他のオレフィンなどのオレフィンの収率を増加させることができ、ガソリンの収率を減少させることができる。あるいは、他の実施形態では、第２の分解反応ゾーン１４２に導入される第２の触媒１４４中の使用済みの第２の触媒１４６対再生触媒１１６の重量比を減少させることにより、ガソリンの収率を増加させることができ、例えば、ブテン、プロペン、および他のオレフィンなどのオレフィンの収率を減少させることができる。
【００８０】
第２の分解反応ゾーン１４２に導入される第２の触媒１４４中の使用済みの第２の触媒１４６対再生触媒１１６の重量比、または使用済みの第２の触媒１４６の再循環率は、第２の分解反応ゾーン１４２内の触媒対炭化水素の重量比に応じて制御することができる。あるいは、第２の分解反応ゾーン１４２に導入される第２の触媒１４４中の使用済みの第２の触媒１４６対再生触媒１１６の重量比、または使用済みの第２の触媒１４６の再循環率は、第２の分解反応ゾーン１４２の生成物選択性に応じて制御することができ、これは、第２の分解反応生成物流１４８の組成を測定することによって決定することができる。
【００８１】
図４の実施形態を参照すると、ＨＳＦＣＣシステム１００は、使用済みの第１の触媒１２６の再循環部分１９０を、第１のストリッピングゾーン１３２から第２のＦＣＣユニット１４０に再循環するように構成され得る。これらの実施形態では、ＨＳＦＣＣシステム１００は、第１のストリッピングゾーン１３２の流出口１３５を第２の触媒／供給物混合ゾーン１５６の流入口１５７に流体的に連結している、使用済みの第１の触媒交差再循環１８４を含み得る。使用済みの第１の触媒交差再循環１８４は、使用済みの第１の触媒１２６の再循環部分１９０を、第１ストリッピングゾーン１３２の流出口１３５から第１の触媒／供給物混合ゾーン１３６の流入口１５７へと通過させることができる。第２の分解反応ゾーン１４２に導入される第２の触媒１４４が、再生触媒１１６と使用済みの第１の触媒１２６の再循環部分１９０との混合物を含むように、使用済みの第１の触媒１２６の再循環部分１９０は、第２の分解反応ゾーン１４２の上流にある触媒ホッパー１７４からの再生触媒１１６と組み合わされてもよい。いくつかの実施形態では、使用済みの第１の触媒１２６の再循環部分１９０は、第２の触媒／供給物混合ゾーン１５６に導入されてもよく、ここで、第２の触媒１４４（使用済みの第１の触媒１２６と再生触媒１１６との混合物）および低沸点留分流１０８を第２の分解反応ゾーン１４２へと通過させる前に、使用済みの第１の触媒１２６の再循環部分１９０は、再生触媒１１６および低沸点留分流１０８と混合される。他の実施形態では、使用済みの第１の触媒１２６の再循環部分１９０は、第２の触媒／供給物混合ゾーン１５６の上流にある再生触媒１１６と組み合わされてもよい。使用済みの第１の触媒１２６の非再循環部分１９２は、再生のために再生器１６０へと通過してもよい。
【００８２】
使用済みの第１の触媒１２６の再循環部分１９０は、再生触媒１１６の再生触媒温度Ｔ１１６未満である使用済みの第１の触媒温度Ｔ１２６を有し得る。使用済みの第１の触媒１２６の再循環部分１９０と再生触媒１１６との混合により、第２の分解反応ゾーン１４２に導入される第２の触媒１４４の平均温度を低下させることができる。第２の触媒１４４の平均温度を低下させることにより、第２の分解反応ゾーン１４２内の第２の分解温度Ｔ１４２を低下させることができる。
【００８３】
加えて、使用済みの第１の触媒１２６の再循環部分１９０を再生触媒１１６と混合することにより、第２の分解反応ゾーン１４２に導入される第２の触媒１４４の平均触媒活性を低下させることができる。以前に考察したように、第１の分解反応ゾーン１２２内での分解反応中、使用済みの第１の触媒１２６上にコークス堆積物が形成される可能性がある。コークス堆積物は、使用済みの第１の触媒１２６上の触媒活性部位を遮断し、使用済みの第１の触媒１２６の触媒有効性を低下させる可能性がある。使用済みの第１の触媒１２６は、再生触媒１１６と比較して、より低い触媒有効性を有し得る。したがって、使用済みの第１の触媒１２６の再循環部分１９０を再生触媒１１６と混合して、第２の触媒１４４を生成することにより、再生触媒１１６の触媒活性と比較して、第２の分解反応ゾーン１４２に導入される第２の触媒１４４の平均触媒活性を低下させることができる。
【００８４】
さらなる実施形態では、第２の分解反応ゾーン１４２に導入される第２の触媒１４４は、再生触媒温度Ｔ１１６と比較して、第２の分解反応ゾーン１４２内の第２の分解温度Ｔ１４２を低下させるのに十分な、使用済みの第１の触媒１２６対再生触媒１１６の重量比を有し得る。他の実施形態では、第２の分解反応ゾーン１４２に導入される第２の触媒１４４は、再生触媒１１６の触媒活性と比較して、第２の分解反応ゾーン１４２に導入される第２の触媒１４４の平均触媒活性を低下させるのに十分な、使用済みの第１の触媒１２６対再生触媒１１６の重量比を有し得る。第２の触媒１４４は、再生触媒１１６を、使用済みの第１の触媒１２６を有しない第２の分解反応ゾーン１４２に供給することによって達成可能な同じ石油化学生成物の収率と比較して、第２の分解反応生成物流１４８中の石油化学生成物の収率を増加させるのに十分な、使用済みの第１の触媒１２６対再生触媒１１６の重量比を有し得る。実施形態では、第２の分解反応ゾーン１４２に導入される第２の触媒１４４は、１：９９〜９９：１、１：９９〜９０：１０、１：９９〜７５：２５、１：９９〜５０：５０、１：９９〜２５：７５、１：９９〜１０：９０、１０：９０〜９９：１、１０：９０〜９０：１０、１０：９０〜７５：２５、１０：９０〜５０：５０、１０：９０〜２５：７５、２５：７５〜９９：１、２５：７５〜９０：１０、２５：７５〜７５：２５、２５：７５〜５０：５０、５０：５０〜９９：１、５０：５０〜９０：１０、５０：５０〜７５：２５、７５：２５〜９９：１、７５：２５〜９０：１０、または９０：１０〜９９：１の使用済みの第１の触媒１２６対再生済触媒１１６の重量比を有し得る。
【００８５】
第２の分解反応ゾーン１４２に導入される第２の触媒１４４中の使用済みの第１の触媒１２６対再生触媒１１６の重量比を制御して、第２の分解反応ゾーン１４２内の反応条件を修正することができる。例えば、第２の触媒１４４中の使用済みの第１の触媒１２６対再生触媒１１６の重量比を制御することにより、第２の分解反応ゾーン１４２の第２の分解温度Ｔ１４２、平均触媒活性、またはその両方を制御することができ、これは、第２の分解反応生成物流１４８中の１つ以上の石油化学生成物の収率の改善を可能にし得る。使用済みの第１の触媒交差再循環１８４を通る使用済みの第１の触媒１２６の再循環部分１９０の流量、触媒ホッパー１７４からの再生触媒１１６の流量、またはその両方を制御することによって、使用済みの第１の触媒１２６対再生触媒１１６の重量比を制御することができる。実施形態では、第２の分解反応ゾーン１４２に導入される第２の触媒１４４中の使用済みの第１の触媒１２６対再生触媒１１６の重量比を増加させることにより、例えば、ブテン、プロペン、および他のオレフィンなどのオレフィンの収率を増加させることができ、第２の分解反応生成物流１４８中のガソリンの収率を減少させることができる。あるいは、他の実施形態では、第２の分解反応ゾーン１４２に導入される第２の触媒１４４中の使用済みの第１の触媒１２６対再生触媒１１６の重量比を減少させることにより、ガソリンの収率を増加させることができ、例えば、第２の分解反応物流１４８中の、例えば、ブテン、プロペン、および他のオレフィンなどのオレフィンの収率を減少させることができる。
【００８６】
第２の分解反応ゾーン１４２に導入される第２の触媒１４４中の使用済みの第１の触媒１２６対再生触媒１１６の重量比、または使用済みの第１の触媒１２６の再循環率は、第２の分解反応ゾーン１４２内の触媒対炭化水素の重量比に応じて制御することができる。あるいは、第２の分解反応ゾーン１４２に導入される第２の触媒１４４中の使用済みの第１の触媒１２６対再生触媒１１６の重量比、または使用済みの第１の触媒１２６の再循環率は、第２の分解反応ゾーン１４２の生成物選択性に応じて制御することができ、これは、第２の分解反応生成物流１４８の組成を測定することによって決定することができる。
【００８７】
図５の実施形態を参照すると、ＨＳＦＣＣシステム１００は、使用済みの第２の触媒１４６の再循環部分１９４を、第２のストリッピングゾーン１５２から第１のＦＣＣユニット１２０に再循環するように構成され得る。これらの実施形態では、ＨＳＦＣＣシステム１００は、第２のストリッピングゾーン１５２の流出口１５５を第１の触媒／供給物混合ゾーン１３６の流入口１３７に流体的に連結している、使用済みの第２の触媒交差再循環１８６を含み得る。使用済みの第２の触媒交差再循環１８６は、使用済みの第２の触媒１４６の再循環部分１９４を、第２ストリッピングゾーン１５２の流出口１５５から第１の触媒／供給物混合ゾーン１３６の流入口１３７へと通過させることができる。第１の分解反応ゾーン１２２に導入される第１の触媒１２４が、再生触媒１１６と使用済みの第２の触媒１４６の再循環部分１９４との混合物を含むように、使用済みの第２の触媒１４６の再循環部分１９４は、第１の分解反応ゾーン１２２の上流にある触媒ホッパー１７４からの再生触媒１１６と組み合わされてもよい。いくつかの実施形態では、使用済みの第２の触媒１４６の再循環部分１９４は、第１の触媒／供給物混合ゾーン１３６に導入されてもよく、ここで、第１の触媒１２４（使用済みの第２の触媒１４６と再生触媒１１６との混合物）および高沸点留分流１０６を第１の分解反応ゾーン１２２へと通過させる前に、使用済みの第２の触媒１４６の再循環部分１９４は、再生触媒１１６および高沸点留分流１０６と混合される。他の実施形態では、使用済みの第２の触媒１４６の再循環部分１９４は、第１の触媒／供給物混合ゾーン１３６の上流にある再生触媒１１６と組み合わされてもよい。使用済みの第２の触媒１４６の非再循環部分１９６は、再生のために再生器１６０へと通過してもよい。
【００８８】
使用済みの第２の触媒１４６の再循環部分１９４は、再生触媒１１６の再生触媒温度Ｔ１１６未満であり得る使用済みの第２の触媒温度Ｔ１４６を有し得る。使用済みの第２の触媒１４６の再循環部分１９４を再生触媒１１６と混合することにより、第１の分解反応ゾーン１２２に導入される第１の触媒１２４の平均温度を低下させることができる。第１の触媒１２４の平均温度を低下させることにより、第１の分解反応ゾーン１２２内の第１の分解温度Ｔ１２２を低下させることができる。
【００８９】
加えて、使用済みの第２の触媒１４６の再循環部分１９４を再生触媒１１６と混合することにより、第１の分解反応ゾーン１２２に導入される第１の触媒１２４の平均触媒活性を低下させることができる。以前に考察したように、第２の分解反応ゾーン１４２内での分解反応中、使用済みの第２の触媒１４６上にコークス堆積物が形成される可能性がある。コークス堆積物は、使用済みの第２の触媒１４６上の触媒活性部位を遮断し、使用済みの第２の触媒１４６の触媒有効性を低下させる可能性がある。使用済みの第２の触媒１４６は、再生触媒１１６と比較して、より低い触媒有効性を有し得る。したがって、使用済みの第２の触媒１４６の再循環部分１９４を再生触媒１１６と混合して、第１の触媒１２４を提供することにより、再生触媒１１６の触媒活性と比較して、第１の分解反応ゾーン１２２に導入される第１の触媒１２４の平均触媒活性を低下させることができる。
【００９０】
さらに図５を参照すると、第１の分解反応ゾーン１２２に導入される第１の触媒１２４は、再生触媒温度Ｔ１１６と比較して、第１の分解反応ゾーン１２２内の第１の分解温度Ｔ１２２を低下させるのに十分な、使用済みの第２の触媒１４６対再生触媒１１６の重量比を有し得る。他の実施形態では、第１の分解反応ゾーン１２２に導入される第１の触媒１２４は、再生触媒１１６の触媒活性と比較して、第１の分解反応ゾーン１２２に導入される第１の触媒１２４の平均触媒活性を低下させるのに十分な、使用済みの第２の触媒１４６対再生済触媒１１６の重量比を有し得る。第１の触媒１２４は、再生触媒１１６を、使用済みの第２の触媒１４６を有しない第１の分解反応ゾーン１２２に供給することによって達成可能な同じ石油化学生成物の収率と比較して、第１の分解反応生成物流１２８中の石油化学生成物の収率を増加させるのに十分な、使用済みの第２の触媒１４６対再生済触媒１１６の重量比を有し得る。実施形態では、第１の分解反応ゾーン１２２に導入される第１の触媒１２４は、１：９９〜９９：１、１：９９〜９０：１０、１：９９〜７５：２５、１：９９〜５０：５０、１：９９〜２５：７５、１：９９〜１０：９０、１０：９０〜９９：１、１０：９０〜９０：１０、１０：９０〜７５：２５、１０：９０〜５０：５０、１０：９０〜２５：７５、２５：７５〜９９：１、２５：７５〜９０：１０、２５：７５〜７５：２５、２５：７５〜５０：５０、５０：５０〜９９：１、５０：５０〜９０：１０、５０：５０〜７５：２５、７５：２５〜９９：１、７５：２５〜９０：１０、または９０：１０〜９９：１の使用済みの第２の触媒１４６対再生済触媒１１６の重量比を有し得る。
【００９１】
第１の分解反応ゾーン１２２に導入される第１の触媒１２４中の使用済みの第２の触媒１４６対再生触媒１１６の重量比を制御して、第１の分解反応ゾーン１２２内の反応条件を修正することができる。例えば、第１の触媒１２４中の使用済みの第２の触媒１４６対再生触媒１１６の重量比を制御することにより、第１の分解反応ゾーン１２２の第１の分解温度Ｔ１２２、平均触媒活性、またはその両方を制御することができ、これは、第１の分解反応生成物流１２８中の１つ以上の石油化学生成物の収率の増加を可能にし得る。使用済みの第２の触媒交差再循環１８６を通る使用済みの第２の触媒１４６の再循環部分１９４の流量、触媒ホッパー１７４からの再生触媒１１６の流量、またはその両方を制御することによって、使用済みの第２の触媒１４６対再生触媒１１６の重量比を制御することができる。実施形態では、第１の分解反応ゾーン１２２に導入される第１の触媒１２４中の使用済みの第２の触媒１４６対再生触媒１１６の重量比を増加させることにより、例えば、ブテン、プロペン、および他のオレフィンなどのオレフィンの収率を増加させることができ、ガソリンの収率を減少させることができる。あるいは、他の実施形態では、第１の分解反応ゾーン１２２に導入される第１の触媒１２４中の使用済みの第２の触媒１４６対再生触媒１１６の重量比を減少させることにより、ガソリンの収率を増加させることができ、例えば、ブテン、プロペン、および他のオレフィンなどのオレフィンの収率を減少させることができる。
【００９２】
第１の分解反応ゾーン１２２に導入される第１の触媒１２４中の使用済みの第２の触媒１４６対再生触媒１１６の重量比、または使用済みの第２の触媒１４６の再循環率は、第１の分解反応ゾーン１２２内の触媒対炭化水素の重量比に応じて制御することができる。あるいは、第１の分解反応ゾーン１２２に導入される第１の触媒１２４中の使用済みの第２の触媒１４６対再生触媒１１６の重量比、または使用済みの第２の触媒１４６の再循環率は、第１の分解反応ゾーン１２２の生成物選択性に応じて制御することができ、これは、第１の分解反応生成物流１２８の組成を測定することによって決定することができる。
【００９３】
図２〜図５を参照すると、使用済みの第１の触媒再循環１８０（図２）、使用済みの第２の触媒再循環１８２（図３）、使用済みの第１の触媒交差再循環１８４（図４）、使用済みの第２の触媒交差再循環１８６（図５）、またはこれらの組み合わせのうちの少なくとも１つを有するＨＳＦＣＣシステム１００は、単一の共通再生器１６０内での使用済みの第１の触媒１２６および使用済みの第２の触媒１４６の再生を可能にしながら、異なる分解温度または異なる触媒活性での第１のＦＣＣユニット１２０および第２のＦＣＣユニット１４０の操作を可能にし得る。第１の分解反応ゾーン１２２内で高沸点留分１０６を分解することにより、使用済みの第１の触媒１２６上に生成および堆積されるコークスの量は、第２の分解反応ゾーン１４２内で低沸点留分１０８を分解することにより、使用済みの第２の触媒１４６に上に形成および堆積される限られた量のコークスを補償してもよい。再生器１６０では、使用済みの第１の触媒１２６と使用済みの第２の触媒１４６とを組み合わせて、使用済みの第１の触媒１２６の再生からの熱を再生触媒１１６の全てに伝達することができる。その後、再生触媒１１６は、熱を第１のＦＣＣユニット１２０および第２のＦＣＣユニット１４０の両方に分配することができる。
【００９４】
加えて、使用済みの第１の触媒再循環１８０、使用済みの第２の触媒再循環１８２、使用済みの第１の触媒交差再循環１８４、使用済みの第２の触媒交差再循環１８６、またはこれらの組み合わせのうちの少なくとも１つなどの、少なくとも１つの部分的に使用済みの触媒再循環を有するＨＳＦＣＣシステム１００は、他のＦＣＣユニットから独立した、第１のＦＣＣユニット１２０、第２のＦＣＣユニット１４０、またはその両方の触媒活性の制御を可能にし得る。炭化水素供給流１０２は、広い沸点範囲を有し得る。高沸点留分１０６などの高沸点を有する留分は、低沸点留分１０８などの低沸点を有する留分と比較して、より反応性が高く、より低い分解活性を必要とする傾向があり得る。使用済みの第１の触媒１２６または使用済みの第２の触媒１４６の一部分を再循環し、それを再生触媒１１６と混合することにより、それぞれ、第１のＦＣＣユニット１２０または第２のＦＣＣユニット１４０に導入される第１の触媒１２４または第２の触媒１４４の触媒活性、温度、またはその両方を制御して、高沸点留分１０６および低沸点留分１０８の相対反応性の差を調整することが可能となり得る。触媒活性の制御により、第１のＦＣＣユニット１２０および第２のＦＣＣユニット１４０の両方について再生触媒を使用して得られる組成と比較して、第１の分解反応生成物流１２８、第２の分解反応生成物流１４８、またはその両方の組成の修正が可能となり得る。
【００９５】
ＨＳＦＣＣシステム１００は、炭化水素供給流１０２からオレフィンを生成するための方法において利用することができる。オレフィンを生成するための方法は、炭化水素材料を、低沸点留分１０８と高沸点留分１０６とに分離することと、第１の触媒１２４の存在下、５００℃〜７００℃の第１の分解温度Ｔ１２２で、高沸点留分１０６の少なくとも一部分を分解して、第１の分解反応生成物１２８および使用済みの第１の触媒１２６を生成することと、第２の触媒１４４の存在下、５００℃〜７００℃の第２の分解温度Ｔ１４２で、低沸点留分１０８の少なくとも一部分を分解して、第２の分解反応生成物１４８および使用済みの第２の触媒１４６を生成することとを含み得る。本方法は、第１の分解反応生成物１２８の少なくとも一部分を、使用済みの第１の触媒１２６から分離することと、第２の分解反応生成物１４８の少なくとも一部分を、使用済みの第２の触媒１４６から分離することとをさらに含み得る。本方法は、使用済みの第１の触媒１２６の第１の部分（再循環部分１９０）と再生触媒１１６とを組み合わせて、第１の触媒１２４または第２の触媒１４４を生成することと、第１の分解反応生成物１２８および第２の分解反応生成物１４８を回収することとを含み得る。炭化水素材料は、原油、真空残留物、タールサンド、ビチューメン、大気残留物、真空軽油、脱金属化油、ナフサ流、またはこれらの組み合わせのうちの少なくとも１つを含み得る。いくつかの実施形態では、炭化水素材料は、原油を含み得る。本方法は、使用済みの第１の触媒１２６および使用済みの第２の触媒１４６の第２の部分（非再循環部分１９２）を再生して、再生触媒１１６を生成することをさらに含み得る。高沸点留分１０６および低沸点留分１０８は、５：１超の触媒対炭化水素の重量比および３秒未満の滞留時間を含む高過酷度条件下で分解され得る。
【００９６】
他の実施形態では、第１の流動接触分解（ＦＣＣ）ユニット１２０および第２のＦＣＣユニット１４０を有するシステム１００を操作して、炭化水素供給流１０２から生成物を生成するための方法は、炭化水素供給流１０２を供給物分離器１０４に導入することと、炭化水素供給流１０２を、供給物分離器１０４内で低沸点留分１０８と高沸点留分１０６とに分離することと、高沸点留分１０６を第１のＦＣＣユニット１２０へと通過させることと、低沸点留分１０８を第２のＦＣＣユニット１４０へと通過させることとを含み得、第１のＦＣＣユニット１２０および第２のＦＣＣユニット１４０は、順流ＦＣＣユニットである。本方法は、第１の触媒１２４の存在下、５００℃〜７００℃の第１の分解温度で、第１のＦＣＣユニット１２０内で高沸点留分１０６の少なくとも一部分を分解して、第１の分解反応生成物１２８および使用済みの第１の触媒１２６を生成することと、第２の触媒１４４の存在下、５００℃〜７００℃の第２の分解温度で、第２のＦＣＣユニット１４０内で低沸点留分１０８の少なくとも一部分を分解して、第２の分解反応生成物１４８および使用済みの第２の触媒１４６を生成することとをさらに含み得る。本方法は、使用済みの第１の触媒１２６の少なくとも一部分または使用済みの第２の触媒１４６の一部分を、第１のＦＣＣユニット１２０または第２のＦＣＣユニット１４０へと通過させることを含み得る。
【００９７】
本方法は、再生ゾーン１６２内で、使用済みの第１の触媒１２６の非再循環部分１９２および使用済みの第２の触媒１４６の非再循環部分１９６を再生して、再生触媒１１６を生成することをさらに含み得る。本方法は、再生触媒１１６を、第１のＦＣＣユニット１２０および第２のＦＣＣユニット１４０へと通過させることを含み得る。本方法は、第１の分解反応生成物１２８および第２の分解反応生成物１４８を回収することを含み得る。
【００９８】
いくつかの実施形態では、本方法は、使用済みの第１の触媒１２６の少なくとも一部分を、第１のＦＣＣユニット１２０、第２のＦＣＣユニット１４０、または第１のＦＣＣユニット１２０および第２のＦＣＣユニット１４０へと通過させることを含み得る。例えば、実施形態では、本方法は、使用済みの第１の触媒１２６の少なくとも一部分を、第１のＦＣＣユニット１２０へと通過させることを含み得る。第１の触媒１２４は、使用済みの第１の触媒１２６の少なくとも一部分と、再生触媒１１６とを含み得、第２の触媒１４４は、再生触媒１１６を含み得る。本方法は、使用済みの第１の触媒１２６の少なくとも一部分対第１の触媒１２４中の再生触媒１１６の重量比を調整することによって、第１のＦＣＣユニット１２０内の第１の触媒１２４の触媒活性または第１のＦＣＣユニット１２０内の第１の分解温度Ｔ１２２を制御することを含み得る。
【００９９】
他の実施形態では、代替例において、本方法は、使用済みの第１の触媒１２６の少なくとも一部分を、第２のＦＣＣユニット１４０へと通過させることを含み得る。第２の触媒１４４は、使用済みの第１の触媒１２６の少なくとも一部分と、再生触媒１１６とを含み得、第１の触媒１２４は、再生触媒１１６を含み得る。本方法は、使用済みの第１の触媒１２６の少なくとも一部分対第２の触媒１４４中の再生触媒１１６の重量比を調整することによって、第２のＦＣＣユニット１４０内の第２の触媒１４４の触媒活性または第２のＦＣＣユニット１４０内の第２の分解温度Ｔ１４２を制御することをさらに含み得る。
【０１００】
いくつかの実施形態では、本方法は、使用済みの第２の触媒１４６の少なくとも一部分を、第１のＦＣＣユニット１２０、第２のＦＣＣユニット１４０、または第１のＦＣＣユニット１２０および第２のＦＣＣユニット１４０へと通過させることを含み得る。例えば、実施形態では、本方法は、使用済みの第２の触媒１４６の少なくとも一部分を、第２のＦＣＣユニット１４０へと通過させることを含み得る。第２の触媒１４４は、使用済みの第２の触媒１４６の少なくとも一部分と、再生触媒１１６とを含み得る。本方法は、使用済みの第２の触媒１４６の少なくとも一部分対第２の触媒１４４中の再生触媒１１６の重量比を調整することによって、第２のＦＣＣユニット１４０内の第２の触媒１４４の触媒活性または第２のＦＣＣユニット１４０内の第２の分解温度Ｔ１４２を制御することをさらに含み得る。
【０１０１】
代替例において、本方法は、使用済みの第２の触媒１４６の少なくとも一部分を、第１のＦＣＣユニット１２０へと通過させることを含み得る。この例では、第１の触媒１２４は、使用済みの第２の触媒１４６の少なくとも一部分と、再生触媒１１６とを含み得る。本方法は、使用済みの第２の触媒１４６の少なくとも一部分対第１の触媒１２４中の再生触媒１１６の重量比を調整することによって、第１のＦＣＣユニット１２０内の第１の触媒１２４の触媒活性または第１のＦＣＣユニット１２０内の第１の分解温度Ｔ１２２を制御することをさらに含み得る。
【実施例】
【０１０２】
以下の実施例は、前述の本開示の１つ以上の追加の特徴を示す。以下の実施例では、使用済み触媒と新鮮な触媒との混合物を含有する触媒試料の存在下で炭化水素供給流を分解して、本開示に記載のＨＳＦＣＣシステム１００における使用済み触媒の部分再循環をシミュレートした。炭化水素供給流は、真空軽油（ＶＧＯ）供給物であった。
【０１０３】
ＡＣＥ  Ｔｅｃｈｎｏｌｏｇｙ（登録商標）モデルＲ＋分解ユニットを使用して、接触分解実験を実行した。例示的な各反応について、分解ユニットは、６００℃の分解温度、１２の触媒対炭化水素の重量比で動作した。各実施例の分解ユニットの操作開始時に、固定量の触媒を反応器に伝達し、窒素ガスで６００℃の所望の反応温度まで加熱した。窒素ガスを、供給物注入器を通して、反応器の底部から反応器に供給して、触媒粒子を流動化させた。触媒床の温度が６００℃の反応温度の±１℃以内に達したとき、３０秒の事前設定した持続時間にわたって供給物を注入した。３０秒の注入時間中、ＶＧＯが、触媒を連続的に通過した。供給物ポンプを供給物温度で較正して、１２の所望の触媒対油の重量比を維持するための量のＶＧＯ供給物を送達した。
【０１０４】
例示的な各分解反応について、反応器を出る分解反応生成物流は、Ｃ５＋炭化水素が凝縮される液体受容器を通過した。液体受容器は、−１５℃の温度で動作した。分解反応生成物流の残りのガスは、ガス受容器へと通過した。分解反応後、６００℃のストリッピング温度で触媒から反応生成物をストリッピングした。総ガスおよび液体生成物を各々、ストリッピング操作から収集し、組成について分析した。
【０１０５】
初期ステップとして、新たな触媒を使用して、ＡＣＥ  Ｔｅｃｈｎｏｌｏｇｙ（登録商標）分解ユニットでＶＧＯ供給物を分解して、使用済み触媒を生成した。新たな触媒は、７５重量％の市販のＦＣＣ塩基触媒と、２５重量％の市販のＦＣＣオレフィン添加剤とを含んだ。ストリッピングプロセスの後、使用済み触媒を再生することなく、使用済み触媒を反応器から除去した。その後、異なる量の使用済み触媒を新たな触媒と混合することによって、触媒試料を調製した。触媒試料の各々の総重量に基づいて、２５重量パーセント（重量％）、５０重量％、および７５重量％の使用済み触媒を有する触媒試料を調製した。その後、触媒試料の各々を、ＡＣＥ  Ｔｅｃｈｎｏｌｏｇｙ（登録商標）分解ユニットの反応器に別個に充填し、本開示で前述のプロセスに従って、６００℃の高過酷度条件および１２の触媒対油の重量比で、ある量のＶＧＯ供給物を分解するのに使用した。反応生成物流を、総変換率、ならびに水素（Ｈ２）、メタン、エタン、エチレン、プロパン、プロペン、ブタン、イソブテン、１−ブテン、イソブテン、２−ブテン、１，３−ブタジエン、総ガス、ガソリン、ライトサイクル油（ＬＣＯ、２１６〜３４３℃）、およびヘビーサイクル油（ＨＣＯ、３４３℃超）の収率について分析した。触媒試料の各々の総変換率および収率について得られた結果を表２に提供する。
【０１０６】
使用済み触媒を有する各触媒試料について、触媒ストリッピングの完了後、反応器の温度を６５０℃まで上昇させ、空気を反応器に供給して、触媒を再生した。再生中、使用済み触媒上のコークスは、気流下、６５０℃の温度で燃焼した。再生中に生成された煙道ガスは、赤外（ＩＲ）二酸化炭素（ＣＯ２）分析器を通過した。再生中に燃焼したコークスの量を、煙道ガスのガス流量および煙道ガス中のＣＯ２の濃度から計算した。分解反応によって生成されるコークスの収率を、再生中に燃焼したコークスの量と、使用済み触媒と新たな触媒とを組み合わせて触媒を反応器に導入する前の使用済み触媒中のコークスの量との間の差から計算した。
【０１０７】
【表２】
2020521844.tif 000004
【０１０８】
表２に示されるように、オレフィンの収率は、反応器に再循環される使用済み触媒の重量パーセントが増加するにつれて増加した。具体的には、プロペンの収率は、反応器内の総触媒に基づいて２５重量％の使用済み触媒を使用した場合の１５．８４重量％から、反応器内の総触媒に基づいて７５重量％の使用済み触媒を使用した場合の２１．５６重量％まで増加した。したがって、使用済み触媒の量を２５重量％〜７５重量％に増加させることにより、プロペンの収率の３６％の予想外の増加がもたらされた。同様に、使用済み触媒の重量パーセントが増加するにつれて、他のオレフィンの収率もまた予想外に増加した。１−ブテンの収率は、（２５重量％の使用済み触媒で）２．１３重量％から（７５重量％の使用済み触媒で）２．４８重量％まで１６％増加し、シス−２−ブテンの収率は、（２５重量％の使用済み触媒で）２．３３重量％から（７５重量％の使用済み触媒で）２．６８重量％まで１５％増加し、トランス−２−ブテンの収率は、（２５重量％の使用済み触媒で）３．２８重量％から（７５重量％の使用済み触媒で）３．７７重量％まで１５％増加した。オレフィンに加えて、表２はまた、反応器に充填される使用済み触媒の量が増加するにつれて、ＨＣＯの収率が増加することも示す。ＨＣＯの収率は、（２５重量％の使用済み触媒で）８．３重量％〜（７５重量％の使用済み触媒で）１０．１３重量％まで２２重量％増加した。
【０１０９】
対照的に、ガソリンの収率は、反応器に再循環される使用済み触媒の重量パーセントが増加するにつれて予想外に減少した。ガソリンの収率は、反応器に再循環された２５重量％の使用済み触媒で２７．６２重量％のガソリンから、反応器に再循環された７５重量％の使用済み触媒で２３．１３重量％のガソリンまで予想外に減少した。したがって、使用済み触媒の量を２５重量％〜７５重量％に増加させることにより、ガソリンの収率の１６％の予想外の減少がもたらされた。加えて、全体的な変換率は、反応器に再循環される使用済み触媒の重量パーセントが増加するにつれて減少した。総変換率は、反応器に再循環された２５重量％の使用済み触媒で８０．５９％から、反応器に再循環された７５重量％の使用済み触媒で７８．６１％まで減少した。したがって、使用済み触媒の量を２５重量％〜７５重量％に増加させることにより、総変換率の２．５％の減少がもたらされた。
【０１１０】
これらの結果は、ＦＣＣ反応器に再循環されて戻される使用済み触媒の量の変化が、分解反応生成物流中の生成物分布を変化させ、したがって分解反応生成物流の組成を変化させることを実証している。したがって、ＦＣＣ反応器に再循環されて戻される使用済み触媒の量は、特定の標的生成物に有利な生成物分布を生成するように制御され得る。例えば、表２の結果に基づいて、ＦＣＣ反応器に再循環されて戻される使用済み触媒の量を増加させることによって、高過酷度ＦＣＣ反応器からのプロペンおよび他のオレフィンの収率を増加させることができる。あるいは、ＦＣＣ反応器に再循環されて戻される使用済み触媒の量を減少させることによって、ガソリンの収率を増加させることができる。
【０１１１】
本開示の第１の態様は、第１の流動接触分解（ＦＣＣ）ユニットおよび第２のＦＣＣユニットを有するシステムを操作して、炭化水素供給流から生成物を生成するための方法を対象とし得、本方法は、炭化水素供給流を供給物分離器に導入することと、炭化水素供給流を、供給物分離器内で低沸点留分と高沸点留分とに分離することと、高沸点留分を第１のＦＣＣユニットへと通過させることと、低沸点留分を第２のＦＣＣユニットへと通過させることであって、第１のＦＣＣユニットおよび第２のＦＣＣユニットが、順流ＦＣＣユニットである、通過させることと、第１の触媒の存在下、５００℃〜７００℃の第１の分解温度で、第１のＦＣＣユニット内で高沸点留分の少なくとも一部分を分解して、第１の分解反応生成物および使用済みの第１の触媒を生成することと、第２の触媒の存在下、５００℃〜７００℃の第２の分解温度で、第２のＦＣＣユニット内で低沸点留分の少なくとも一部分を分解して、第２の分解反応生成物および使用済みの第２の触媒を生成することと、使用済みの第１の触媒の少なくとも一部分または使用済みの第２の触媒の一部分を、第１のＦＣＣユニットまたは第２のＦＣＣユニットへと通過させることとを含む。
【０１１２】
本開示の第２の態様は、炭化水素供給流が、原油を含む、第１の態様を含み得る。
【０１１３】
本開示の第３の態様は、第１のＦＣＣユニットおよび第２のＦＣＣユニットが、高過酷度流動接触分解（ＨＳＦＣＣ）ユニットである、第１または第２の態様を含み得る。
【０１１４】
本開示の第４の態様は、第１のＦＣＣユニット内および第２のＦＣＣユニット内の触媒対炭化水素の重量比が、５超であり、第１のＦＣＣユニット内および第２のＦＣＣユニット内の滞留時間が、３秒未満である、第３の態様を含み得る。
【０１１５】
本開示の第５の態様は、再生ゾーン内で、使用済みの第１の触媒の非再循環部分および使用済みの第２の触媒の非再循環部分を再生して、再生触媒を生成することをさらに含む、第１〜第４の態様を含み得る。
【０１１６】
本開示の第６の態様は、再生触媒を、第１のＦＣＣユニットおよび第２のＦＣＣユニットへと通過させることをさらに含む、第５の態様を含み得る。
【０１１７】
本開示の第７の態様は、第１の分解反応生成物および第２の分解反応生成物を回収することをさらに含む、第１〜第６の態様を含み得る。
【０１１８】
本開示の第８の態様は、使用済みの第１の触媒の少なくとも一部分を、第１のＦＣＣユニット、第２のＦＣＣユニット、または第１のＦＣＣユニットおよび第２のＦＣＣユニットへと通過させることを含む、第１〜第７の態様を含み得る。
【０１１９】
本開示の第９の態様は、使用済みの第１の触媒の少なくとも一部分を、第１のＦＣＣユニットへと通過させることを含む、第８の態様を含み得る。
【０１２０】
本開示の第１０の態様は、第１の触媒が、使用済みの第１の触媒の少なくとも一部分と、再生触媒とを含み、第２の触媒が、再生触媒を含む、第９の態様を含み得る。
【０１２１】
本開示の第１１の態様は、第１の触媒が、１：９９〜９９：１、１０：９０〜９０：１０、または２５：７５〜７５：２５の、使用済みの第１の触媒の少なくとも一部分対再生触媒の重量比を含む、第１０の態様を含み得る。
【０１２２】
本開示の第１２の態様は、使用済みの第１の触媒の少なくとも一部分対第１の触媒中の再生触媒の重量比を調整することによって、第１のＦＣＣユニット内の第１の触媒の触媒活性または第１のＦＣＣユニット内の第１の分解温度を制御することをさらに含む、第１０の態様を含み得る。
【０１２３】
本開示の第１３の態様は、第１のＦＣＣユニットの第１の分解反応ゾーンの上流に位置付けられた第１の混合ゾーン内で、使用済みの第１の触媒の少なくとも一部分と、再生触媒と、高沸点留分とを混合することをさらに含む、第９〜第１２の態様を含み得る。
【０１２４】
本開示の第１４の態様は、第１のＦＣＣユニットの第１の分解反応ゾーンの上流に位置付けられた第１の混合ゾーン内で、第１の触媒と、高沸点留分とを混合することと、第２のＦＣＣユニットの第２の分解反応ゾーンの上流に位置付けられた第２の混合ゾーン内で、第２の触媒を低沸点留分と混合することとをさらに含む、第１〜第１２の態様を含み得る。
【０１２５】
本開示の第１５の態様は、使用済みの第１の触媒の少なくとも一部分を、第１のＦＣＣユニット、第２のＦＣＣユニット、または第１のＦＣＣユニットおよび第２のＦＣＣユニットへと通過させる前に、第１の分離ゾーン内で第１の分解反応生成物の少なくとも一部分から使用済みの第１の触媒を分離することと、使用済みの第２の触媒を再生する前に、第２の分離ゾーン内で第２の分解反応生成物の少なくとも一部分から使用済みの第２の触媒を分離することとをさらに含む、第８〜第１４の態様を含み得る。
【０１２６】
本開示の第１６の態様は、使用済みの第１の触媒の少なくとも一部分を、第１のＦＣＣユニット、第２のＦＣＣユニット、または第１のＦＣＣユニットおよび第２のＦＣＣユニットへと通過させる前に、使用済みの第１の触媒から第１の分解反応生成物の別の部分をストリッピングすることと、使用済みの第１の触媒の非再循環部分を再生することとをさらに含む、第８〜第１５の態様を含み得る。
【０１２７】
本開示の第１７の態様は、使用済みの第１の触媒の少なくとも一部分を、第２のＦＣＣユニットへと通過させることを含む、第１〜第８の態様を含み得る。
【０１２８】
本開示の第１８の態様は、第２の触媒が、使用済みの第１の触媒の少なくとも一部分と、再生触媒とを含む、第１７の態様を含み得る。
【０１２９】
本開示の第１９の態様は、第１の触媒が、再生触媒を含む、第１７または第１８の態様を含み得る。
【０１３０】
本開示の第２０の態様は、第２の触媒が、１：９９〜９９：１、１０：９０〜９０：１０、または２５：７５〜７５：２５の、使用済みの第１の触媒の少なくとも一部分対再生触媒の重量比を含む、第１８の態様を含み得る。
【０１３１】
本開示の第２１の態様は、使用済みの第１の触媒の少なくとも一部分対第２の触媒中の再生触媒の重量比を調整することによって、第２のＦＣＣユニット内の第２の触媒の触媒活性または第２のＦＣＣユニット内の第２の分解温度を制御することをさらに含む、第１８の態様を含み得る。
【０１３２】
本開示の第２２の態様は、第２のＦＣＣユニットの第２の分解反応ゾーンの上流に位置付けられた第２の混合ゾーン内で、使用済みの第１の触媒の少なくとも一部分と、再生触媒と、低沸点留分とを混合することをさらに含む、第１７〜第２１の態様を含み得る。
【０１３３】
本開示の第２３の態様は、使用済みの第２の触媒の少なくとも一部分を、第１のＦＣＣユニット、第２のＦＣＣユニット、または第１のＦＣＣユニットおよび第２のＦＣＣユニットへと通過させることを含む、第１〜第７の態様を含み得る。
【０１３４】
本開示の第２４の態様は、使用済みの第２の触媒の少なくとも一部分を、第２のＦＣＣユニットへと通過させることを含む、第２３の態様を含み得る。
【０１３５】
本開示の第２５の態様は、第２の触媒が、使用済みの第２の触媒の少なくとも一部分と、再生触媒とを含む、第２４の態様を含み得る。
【０１３６】
本開示の第２６の態様は、第２の触媒が、１：９９〜９９：１、１０：９０〜９０：１０、または２５：７５〜７５：２５の、使用済みの第２の触媒の少なくとも一部分対再生触媒の重量比を含む、第２５の態様を含み得る。
【０１３７】
本開示の第２７の態様は、使用済みの第２の触媒の少なくとも一部分対第２の触媒中の再生触媒の重量比を調整することによって、第２のＦＣＣユニット内の第２の触媒の触媒活性または第２のＦＣＣユニット内の第２の分解温度を制御することをさらに含む、第２５の態様を含み得る。
【０１３８】
本開示の第２８の態様は、第２のＦＣＣユニットの第２の分解反応ゾーンの上流に位置付けられた第２の混合ゾーン内で、使用済みの第２の触媒の少なくとも一部分と、再生触媒と、低沸点留分とを混合することをさらに含む、第２４〜第２７の態様を含み得る。
【０１３９】
本開示の第２９の態様は、使用済みの第１の触媒を再生する前に、第１の分離ゾーン内で第１の分解反応生成物の少なくとも一部分から使用済みの第１の触媒を分離することと、使用済みの第２の触媒の少なくとも一部分を、第１のＦＣＣユニット、第２のＦＣＣユニット、または第１のＦＣＣユニットおよび第２のＦＣＣユニットへと通過させる前に、第２の分離ゾーン内で第２の分解反応生成物の少なくとも一部分から使用済みの第２の触媒を分離することとをさらに含む、第２３の態様を含み得る。
【０１４０】
本開示の第３０の態様は、使用済みの第２の触媒の少なくとも一部分を、第１のＦＣＣユニット、第２のＦＣＣユニット、または第１のＦＣＣユニットおよび第２のＦＣＣユニットへと通過させる前に、使用済みの第２の触媒から第２の分解反応生成物の別の部分をストリッピングすることと、使用済みの第２の触媒の非再循環部分を再生することとをさらに含む、第２９の態様を含み得る。
【０１４１】
本開示の第３１の態様は、使用済みの第２の触媒の少なくとも一部分を、第１のＦＣＣユニットへと通過させることを含む、第２３の態様を含み得る。
【０１４２】
本開示の第３２の態様は、第１の触媒が、使用済みの第２の触媒の少なくとも一部分と、再生触媒とを含む、第３１の態様を含み得る。
【０１４３】
本開示の第３３の態様は、第１の触媒が、１：９９〜９９：１、１０：９０〜９０：１０、または２５：７５〜７５：２５の、使用済みの第２の触媒の少なくとも一部分対再生触媒の重量比を含む、第３２の態様を含み得る。
【０１４４】
本開示の第３４の態様は、使用済みの第２の触媒の少なくとも一部分対第１の触媒中の再生触媒の重量比を調整することによって、第１のＦＣＣユニット内の第１の触媒の触媒活性または第１のＦＣＣユニット内の第１の分解温度を制御することをさらに含む、第３２の態様を含み得る。
【０１４５】
本開示の第３５の態様は、第１のＦＣＣユニットの第１の分解反応ゾーンの上流に位置付けられた第１の混合ゾーン内で、使用済みの第２の触媒の少なくとも一部分と、再生触媒と、高沸点留分とを混合することをさらに含む、第３１〜第３４の態様を含み得る。
【０１４６】
本開示の第３６の態様は、第１の触媒および第２の触媒が、高活性ＦＣＣ触媒である、第１〜第３５の態様を含み得る。
【０１４７】
本開示の第３７の態様は、第１の触媒および第２の触媒の少なくとも一部分がＺＳＭ−５ゼオライト触媒を含む、第３６の態様を含み得る。
【０１４８】
本開示の第３８の態様は、炭化水素供給流が、原油、真空残留物、タールサンド、ビチューメン、大気残留物、真空軽油、脱金属化油、ナフサ流、またはこれらの組み合わせのうちの少なくとも１つを含む、第１〜第３７の態様を含み得る。
【０１４９】
本開示の第３９の態様は、第１の分解反応生成物または第２の分解反応生成物が、エチレン、プロペン、ブテン、またはペンテンのうちの１つ以上を含む、第１〜第３８の態様を含み得る。
【０１５０】
本開示の第４０の態様は、第１の分解反応生成物または第２の分解反応生成物が、ガソリンを含む、第１〜第３８の態様を含み得る。
【０１５１】
本開示の第４１の態様は、オレフィンを生成するための方法を対象とし、本方法は、炭化水素材料を、低沸点留分と高沸点留分とに分離することと、第１の触媒の存在下、５００℃〜７００℃の第１の分解温度で、高沸点留分の少なくとも一部分を分解して、第１の分解反応生成物および使用済みの第１の触媒を生成することと、第２の触媒の存在下、５００℃〜７００℃の第２の分解温度で、低沸点留分の少なくとも一部分を分解して、第２の分解反応生成物および使用済みの第２の触媒を生成することと、第１の分解反応生成物の少なくとも一部分を、使用済みの第１の触媒から分離することと、第２の分解反応生成物の少なくとも一部分を、使用済みの第２の触媒から分離することと、使用済みの第１の触媒の第１の部分と再生触媒とを組み合わせて、第１の触媒または第２の触媒を生成することと、第１の分解反応生成物および第２の分解反応生成物を回収することとを含む。
【０１５２】
本開示の第４２の態様は、炭化水素材料が、原油を含む、第４１の態様を含み得る。
【０１５３】
本開示の第４３の態様は、炭化水素材料が、原油、真空残留物、タールサンド、ビチューメン、大気残留物、真空軽油、脱金属化油、ナフサ流、またはこれらの組み合わせのうちの少なくとも１つを含む、第４１の態様を含み得る。
【０１５４】
本開示の第４４の態様は、第１の分解反応生成物または第２の分解反応生成物が、エチレン、プロペン、ブテン、またはペンテンのうちの１つ以上を含む、第４１〜第４３の態様を含み得る。
【０１５５】
本開示の第４５の態様は、使用済みの第１の触媒および使用済みの第２の触媒の第２の部分を再生して、再生触媒を生成することをさらに含む、第４１〜第４４の態様を含み得る。
【０１５６】
本開示の第４６の態様は、第１の触媒が、使用済みの第１の触媒の第１の部分と、再生触媒とを含む、第４１〜第４５の態様を含み得る。
【０１５７】
本開示の第４７の態様は、第１の触媒が、１：９９〜９９：１、または１０：９０〜９０：１０、または２５：７５〜７５：２５の、使用済みの第１の触媒の第１の部分対再生触媒の重量比を含む、第４６の態様を含み得る。
【０１５８】
本開示の第４８の態様は、第２の触媒が、使用済みの第１の触媒の第１の部分と、再生触媒とを含む、第４１〜第４５の態様を含み得る。
【０１５９】
本開示の第４９の態様は、第２の触媒が、１：９９〜９９：１、または１０：９０〜９０：１０、または２５：７５〜７５：２５の、使用済みの第１の触媒の第１の部分対再生触媒の重量比を含む、第４８の態様を含み得る。
【０１６０】
本開示の第５０の態様は、第１の触媒を高沸点留分と混合してから、高沸点留分の少なくとも一部分を分解することをさらに含む、第４１〜第４９の態様を含み得る。
【０１６１】
本開示の第５１の態様は、第２の触媒を低沸点留分と混合してから、低沸点留分の少なくとも一部分を分解することをさらに含む、第４１〜第５０の態様を含み得る。
【０１６２】
本開示の第５２の態様は、高沸点留分および低沸点留分が、５：１超の触媒対炭化水素の重量比および３秒未満の滞留時間を含む高過酷度条件下で分解される、第４１〜第５１の態様を含み得る。
【０１６３】
本開示の第５３の態様は、原油からオレフィンを生成するためのシステムを対象とし、本システムは、順流分解反応ゾーンである第１の分解反応ゾーンを含む、第１のＦＣＣユニットと、第１のＦＣＣユニットの下流にある、第１の分離ゾーンと、第１のＦＣＣユニットに平行しており、かつ順流分解反応ゾーンである第２の分解反応ゾーンを含む、第２のＦＣＣユニットと、第２のＦＣＣユニットの下流にある、第２の分離ゾーンと、第１の分離ゾーンおよび第２の分離ゾーンの下流にあり、かつ第１の分離ゾーンおよび第２の分離ゾーンに流体的に連結されている、再生ゾーンと、第１の分離ゾーンまたは第２の分離ゾーンを、第１のＦＣＣユニット、第２のＦＣＣユニット、または第１のＦＣＣユニットおよび第２のＦＣＣユニットに流体的に連結している、触媒再循環とを備える。
【０１６４】
本開示の第５４の態様は、第１のＦＣＣユニットが、第１の分解反応ゾーンの上流にあり、かつ第１の分解反応ゾーンに流体的に連結されている、第１の混合ゾーンを含む、第５３の態様を含み得る。
【０１６５】
本開示の第５５の態様は、第２のＦＣＣユニットが、第２の分解反応ゾーンの上流にあり、かつ第２の分解反応ゾーンに流体的に連結されている、第２の混合ゾーンを含む、第５３または第５４の態様を含み得る。
【０１６６】
本開示の第５６の態様は、再生ゾーンの下流に配置され、かつ再生ゾーンに流体的に連結されている、触媒ホッパーをさらに備える、第５３〜第５５の態様を含み得る。
【０１６７】
本開示の第５７の態様は、触媒ホッパーが、第１のＦＣＣユニットおよび第２のＦＣＣユニットに流体的に結合されている、第５６の態様を含み得る。
【０１６８】
本開示の第５８の態様は、第１の分離ゾーンの下流にあり、かつ第１の分離ゾーンに流体的に結合されている、第１のストリッピングゾーンをさらに含む、第５３〜第５７の態様を含み得る。
【０１６９】
本開示の第５９の態様は、第２の分離ゾーンの下流にあり、かつ第２の分離ゾーンに流体的に連結されている、第２のストリッピングゾーンをさらに含む、第５３〜第５８の態様を含み得る。
【０１７０】
本開示の第６０の態様は、流入口、高沸点留分の流出口流、および低沸点留分の流出口流を有する供給物分離器をさらに備え、高沸点留分の流出口流が、第１のＦＣＣユニットに流体的に連結されており、低沸点留分の流出口流が、第２のＦＣＣユニットに流体的に連結されている、第５３〜第５９の態様を含み得る。
【０１７１】
本開示の第６１の態様は、触媒再循環が、第１の分離ゾーンを、第１のＦＣＣユニット、第２のＦＣＣユニット、または第１のＦＣＣユニットおよび第２のＦＣＣユニットの両方に流体的に連結する、第５３〜第６０の態様を含み得る。
【０１７２】
本開示の第６２の態様は、触媒再循環が、第１の分離ゾーンを、第１のＦＣＣユニットに流体的に連結する、第６１の態様を含み得る。
【０１７３】
本開示の第６３の態様は、触媒再循環が、第１の分離ゾーンを、第２のＦＣＣユニットに流体的に連結する、第６１の態様を含み得る。
【０１７４】
本開示の第６４の態様は、触媒再循環が、第２の分離ゾーンを、第１のＦＣＣユニット、第２のＦＣＣユニット、または第１のＦＣＣユニットおよび第２のＦＣＣユニットの両方に流体的に結合する、第５３〜第６０の態様を含み得る。
【０１７５】
本開示の第６５の態様は、触媒再循環が、第２の分離ゾーンを、第１のＦＣＣユニットに流体的に連結する、第６４の態様を含み得る。
【０１７６】
本開示の第６６の態様は、触媒再循環が、第２の分離ゾーンを、第２のＦＣＣユニットに流体的に結合する、第６４の態様を含み得る。
【０１７７】
本技術を定義するために、特許請求の範囲の範囲を列挙される構成要素またはステップおよび任意の天然に存在する不純物に限定する制約のある前文用語として、「からなる」という移行句が特許請求の範囲に導入され得る。
【０１７８】
本技術を定義するために、１つ以上の特許請求の範囲の範囲を、列挙される要素、構成要素、材料、または方法ステップ、ならびに特許請求される主題の新規な特徴に実質的に影響を及ぼさない任意の列挙されていない要素、構成要素、材料、または方法ステップに限定するために、「から本質的になる」という移行句が特許請求の範囲に導入され得る。
【０１７９】
「からなる」および「から本質的になる」という移行句は、「含む（ｃｏｍｐｒｉｓｉｎｇ）」および「含む（ｉｎｃｌｕｄｉｎｇ）」などの、制約のない移行句のサブセットであると解釈することができるため、一連の要素、構成要素、材料、またはステップの列挙を導入するための制約のない句のいかなる使用も、「からなる」および「から本質的になる」という制約のある用語を使用する一連の要素、構成要素、材料、またはステップの列挙も開示するものと解釈されるべきである。例えば、構成要素Ａ、Ｂ、およびＣを「含む」組成物の列挙はまた、構成要素Ａ、Ｂ、およびＣ「からなる」組成物ならびに構成要素Ａ、Ｂ、およびＣから「本質的になる」組成物も開示するものと解釈されるべきである。
【０１８０】
本開示で表現される任意の定量値は、「含む（ｃｏｍｐｒｉｓｉｎｇ）」および「含む（ｉｎｃｌｕｄｉｎｇ）」という移行句と一致する制約のない実施形態、ならびに「からなる」および「から本質的になる」移行句と一致する制約または部分制約のある実施形態を含むと見なされ得る。
【０１８１】
ある特性に割り当てられた任意の２つの定量値は、その特性の範囲を構成することができ、所与の特性の全ての述べられる定量値から形成される範囲の全ての組み合わせが、本開示において企図されることを理解されたい。ある流れまたは反応器内の化学成分の組成範囲は、いくつかの実施形態では、その成分の異性体の混合物を含有すると理解されるべきであることを理解されたい。例えば、ブテンを特定する組成範囲は、ブテンの様々な異性体の混合物を含み得る。実施例は、様々な流れの組成範囲を提供すること、および特定の化学組成の異性体の総量がある範囲を構成し得ることもまた理解されるべきである。
【０１８２】
本開示の主題は、特定の実施形態を参照することによって詳細に記載されている。ある実施形態の構成要素または特徴についてのいかなる詳述も、その構成要素または特徴が、特定の実施形態または任意の他の実施形態に不可欠であることを必ずしも示唆するものではないことを理解されたい。さらに、特許請求される主題の趣旨および範囲から逸脱することなく、記載の実施形態に様々な変更および変形がなされ得ることは、当業者に明らかであるはずである。
【図１】
2020521844.tif 000005
【図２】
2020521844.tif 000006
【図３】
2020521844.tif 000007
【図４】
2020521844.tif 000008
【図５】
2020521844.tif 000009
【国際調査報告】
2020521844.tif 000010
2020521844.tif 000011
2020521844.tif 000012